(57)【特許請求の範囲】
【請求項１】
ワイヤレスネットワーク中のワイヤレス通信のためのアクセスポイント（ＡＰ）中で用いられる方法において、
１組のプロセッサを用いて、命令に基づいて、前記ワイヤレスネットワークのＡＰに隣接するＡＰに対するネットワーク割当てブロック（ＮＡＢ）を発生させることと、
前記命令をメモリ中に記憶させることとを含み、
前記命令は、前記プロセッサに、
前記隣接ＡＰに関する、チャネル情報または干渉情報を取得させ、前記チャネル情報または干渉情報は、前記ワイヤレスネットワークのカバレッジエリア中の少なくとも１つのアクセス端末（ＡＴ）により決定され、
前記隣接ＡＰに対してダウンリンクワイヤレス通信を割り当てさせて、前記ダウンリンク通信の割当てを前記ＮＡＢ中に含めさせ、
前記ワイヤレスネットワークのカバレッジエリア中のＡＴに対して、前記ＡＰから無線（ＯＴＡ）で前記ＮＡＢの送信を開始させ、
前記ＡＰは、前記ＡＴをサービスしていない、共通のＡＰであり、前記隣接ＡＰは、前記ＡＴからＯＴＡで前記ダウンリンクの割当てを取得し、前記ダウンリンクの割当てを分析して、前記隣接ＡＰに対するトラフィックをスケジュールする、方法。
【請求項２】
前記隣接ＡＰは、前記隣接ＡＰに影響を及ぼす干渉関連の情報を獲得して、前記干渉関連情報をさらに用いて、前記隣接ＡＰのトラフィックをスケジュールする請求項１記載の方法。
【請求項３】
前記ＡＴから、または、前記隣接ＡＰとのバックホールリンクから、前記隣接ＡＰのトラフィック情報を取得することをさらに含み、
前記ダウンリンクの割当ては、前記トラフィック情報に基づく請求項１記載の方法。
【請求項４】
前記ダウンリンクスケジューリングに対して、ダウンリンクチャネルリソースと、変調およびコーディングのスキームと、送信電力と、アンテナ係数と、空間多重化モードまたは送信ダイバーシティモードとを、前記ＮＡＢ中で指定することをさらに含む請求項１記載の方法。
【請求項５】
前記隣接ＡＰのＩＤと、前記隣接ＡＰによりサービスされるＡＴのＩＤと、前記ダウンリンク通信のためのワイヤレスリソースとを、前記ＮＡＢ中で指定することをさらに含む請求項１記載の方法。
【請求項６】
前記隣接ＡＰのＩＤと、前記ＮＡＢを前記隣接ＡＰに転送するリレーＡＴのＩＤとを、前記ＮＡＢ中で指定することをさらに含む請求項１記載の方法。
【請求項７】
前記ワイヤレスネットワーク中の、複数の隣接ＡＰまたは複数のＡＴに関係する複数アンテナ通信として、前記ダウンリンク通信を構成することと、
バックホールリンクを介して、前記複数の隣接ＡＰのうちの少なくとも１つに対して、または、ＯＴＡで、前記複数のＡＴのうちの少なくとも１つに対して、前記ダウンリンクの割当てを転送することとをさらに含む請求項１記載の方法。
【請求項８】
前記ＮＡＢのＯＴＡ送信は、
前記ＡＴへのユニキャスト送信、または、前記ワイヤレスネットワーク内のＡＴへのブロードキャスト送信、のうちの少なくとも１つをさらに含み、
前記ワイヤレスネットワークは、マクロ基地局のカバレッジエリアを含む請求項１記載の方法。
【請求項９】
前記ＡＴまたは前記隣接ＡＰにより提供されたデータを分析して、前記隣接ＡＰによりサービスされているトラフィックデータに対して割り当てられているワイヤレスリソースを識別することと、
前記トラフィックデータに対するワイヤレスリソースの割当てを調整して、前記隣接ＡＰと、前記ワイヤレスネットワークの別のＡＰとの間で、干渉を緩和し、トラフィックのＱｏＳを向上させ、または、ワイヤレスダイバーシティを実現することと、
バックホールリンクを通して、または、前記ＡＴを介してＯＴＡで、前記調整された割当てを前記隣接ＡＰに送信することとをさらに含む請求項１記載の方法。
【請求項１０】
前記ＮＡＢにより指定された方法で、前記隣接ＡＰと共に、複数アンテナ通信のストリームを送信すること、または、受信した複数アンテナ通信をデコードすることをさらに含む請求項１記載の方法。
【請求項１１】
ワイヤレス通信環境中の調整された通信のための装置において、
ワイヤレス通信を送り、受信する、少なくとも１つのアンテナと、
調整されたワイヤレス通信スケジューリングを実現する１組のプロセッサとを具備し、
前記プロセッサは、
ワイヤレスネットワークの通信のためのアクセスポイント（ＡＰ）に隣接するＡＰに関する、チャネル情報または干渉情報を取得し、前記チャネル情報または干渉情報は、アクセス端末（ＡＴ）により決定され、
前記ワイヤレスネットワークの隣接するＡＰに対して、ダウンリンクワイヤレス通信をスケジュールし、
前記ダウンリンク通信に対するスケジューリングデータをＮＡＢにエンコードし、
前記少なくとも１つのアンテナを用いて、前記ワイヤレスネットワークによりサービスされているＡＴを介して、ＯＴＡで、前記ＮＡＢを前記隣接ＡＰに転送するように構成されており、
前記ＮＡＢは、前記ＡＴをサービスしていない、タイプの異なるＡＰに共通のＡＰによって送信される装置。
【請求項１２】
前記隣接ＡＰは、ＯＴＡで前記ＡＴから、前記ＮＡＢ、または、そこで指定されているデータを取得して、前記ＮＡＢまたは指定されているデータを分析して、前記隣接ＡＰに対するトラフィックをスケジュールする請求項１１記載の装置。
【請求項１３】
前記隣接ＡＰは、前記隣接ＡＰに影響を及ぼす干渉関連の情報を獲得し、前記分析は、前記干渉関連情報に基づいて、前記スケジューリングデータに従うこと、または、前記スケジューリングデータを修正することを含む請求項１２記載の装置。
【請求項１４】
受信機が、アップリンクメッセージから、前記ワイヤレスネットワークの、少なくとも１つの隣接ＡＰに関するデータを取得し、
前記プロセッサが、前記データに基づいて、前記ダウンリンク通信に対して、ダウンリンクチャネルリソースと、変調およびコーディングのスキームと、送信電力と、アンテナ係数と、空間多重化モードまたは送信ダイバーシティモードとを前記ＮＡＢ中で指定する請求項１１記載の装置。
【請求項１５】
前記プロセッサは、前記ＡＴに前記ＮＡＢを送るためのユニキャスト送信、または、前記ワイヤレスネットワーク内の１組のＡＴに前記ＮＡＢを送るためのブロードキャスト送信、のうちの少なくとも１つを用いる請求項１４記載の装置。
【請求項１６】
前記ワイヤレスネットワーク内の、複数の隣接ＡＰまたは複数のＡＴに対する、それぞれのパラメータを計算して、分散されている、複数入力（ＭＩ）通信、複数出力（ＭＯ）通信、または、複数入力複数出力（ＭＩＭＯ）通信を実現する調整モジュールをさらに具備する請求項１１記載の装置。
【請求項１７】
割当てモジュールをさらに具備し、
前記割当てモジュールは、
前記ダウンリンク通信が、前記ＡＴまたは前記ＡＴをサービスするＡＰに少なくとも部分的に関係し、前記ＡＴのＩＤと、前記サービングＡＰのＩＤとを前記ＮＡＢ中で指定すること、または、
前記スケジューリングデータが、前記ＡＴにより前記隣接ＡＰに転送され、前記ＡＴのＩＤと、前記隣接ＡＰのＩＤとを前記ＮＡＢ中で指定すること、のうちの少なくとも１つを実行する請求項１１記載の装置。
【請求項１８】
重要モジュールをさらに具備し、
前記重要モジュールは、
前記ＡＴまたは前記隣接ＡＰに関係付けられているトラフィックデータに対する優先順位を決定して、前記ＮＡＢ中で前記優先順位を指定すること、または、
第２の隣接ＡＰに関係付けられている干渉トラフィックデータに対する優先順位を取得して、前記干渉トラフィックの優先順位と、前記ＡＴに関係するトラフィックの優先順位とに基づいて、前記ダウンリンク通信を発生させること、のうちの少なくとも１つを実行する請求項１１記載の装置。
【請求項１９】
前記装置は、マクロセル、マイクロセル、ピコセル、アクセスが制限されているフェムトセル、または、ワイヤレスリレー、のうちの少なくとも１つを具備する請求項１１記載の装置。
【請求項２０】
前記プロセッサは、
前記ＡＴまたは前記隣接ＡＰにより提供されたデータを分析して、前記隣接ＡＰによりサービスされているトラフィックデータに対して割り当てられているワイヤレスリソースを識別し、
前記トラフィックの優先順位に基づいて、前記ワイヤレスリソースの割当てを調整して、前記隣接ＡＰまたは第２の隣接ＡＰにおいて、干渉を緩和し、ＱｏＳを向上させ、または、ワイヤレスダイバーシティを提供し、
バックホールリンクを介して、または、前記ＡＴを介してＯＴＡで、前記調整された割当てを前記隣接ＡＰに送信する請求項１１記載の装置。
【請求項２１】
複数の送信ストリームに対して前記ダウンリンク通信を構成して、複数アンテナ通信を実現することと、
バックホールリンクを通して、または、前記ワイヤレスネットワーク中の１つ以上のＡＴを介して前記ＮＡＢ中で、それぞれの隣接ＡＰに対してそれぞれのストリームを送信することと、
前記複数の送信ストリームのうちの１つを送信して、前記複数アンテナ通信に参加することとをさらに含む請求項１１記載の装置。
【請求項２２】
ワイヤレスネットワーク中のワイヤレス通信のための装置において、
前記ワイヤレスネットワークの隣接ＡＰに対するＮＡＢを発生させるために、命令コードを処理する手段と、
前記命令コードをメモリ中に記憶させる手段とを具備し、
前記命令コードは、前記処理する手段に、
前記隣接ＡＰに関する、チャネル情報または干渉情報を取得させ、前記チャネル情報または干渉情報は、アクセス端末（ＡＴ）により決定され、
前記隣接ＡＰに対してダウンリンクワイヤレス通信を割り当てさせて、前記ダウンリンクの割当てを前記ＮＡＢ中に含めさせ、
前記ワイヤレスネットワークのカバレッジエリア中のＡＴに対して、ＯＴＡで前記ＮＡＢの送信を開始させ、
前記ＮＡＢは、前記ＡＴをサービスしていない共通のＡＰによって送信され、前記隣接ＡＰは、前記ＡＴからＯＴＡで前記ダウンリンクの割当てを取得し、前記ダウンリンクの割当てを分析して、前記隣接ＡＰに対するトラフィックをスケジュールする装置。
【請求項２３】
ワイヤレスネットワーク中のワイヤレス通信に対して構成されている少なくとも１つのプロセッサにおいて、
命令コードを処理して、前記ワイヤレスネットワークの隣接ＡＰに対するＮＡＢを発生させる第１のモジュールと、
前記隣接ＡＰに関する、チャネル情報または干渉情報を取得する第２のモジュールであって、前記チャネル情報または干渉情報は、アクセス端末（ＡＴ）により決定される、第２のモジュールと、
前記隣接ＡＰに対してダウンリンクワイヤレス通信を割り当てて、前記ダウンリンク割当てを前記ＮＡＢ中に含める第３のモジュールと、
前記ワイヤレスネットワークのカバレッジエリア中のＡＴに対して、ＯＴＡで前記割当ての送信を開始する第４のモジュールとを具備し、
前記ＮＡＢは、前記ＡＴをサービスしていない共通のＡＰによって送信され、前記隣接ＡＰは、前記ＡＴからＯＴＡで前記ダウンリンクの割当てを取得し、前記ダウンリンクの割当てを分析して、前記隣接ＡＰに対するトラフィックをスケジュールする、少なくとも１つのプロセッサ。
【請求項２４】
コンピュータ読取可能記憶媒体において、
ワイヤレスネットワークのアクセスポイント（ＡＰ）に隣接するＡＰに対するＮＡＢをコンピュータに発生させるための第１の組のコードと、
前記隣接ＡＰに関する、チャネル情報または干渉情報を前記コンピュータに取得させるための第２の組のコードであって、前記チャネル情報または干渉情報は、アクセス端末（ＡＴ）により決定される、第２の組のコードと、
前記コンピュータに、前記隣接ＡＰに対してダウンリンクワイヤレス通信を割り当てさせて、前記ダウンリンク割当てを前記ＮＡＢ中に含めさせるための第３の組のコードと、
前記ワイヤレスネットワークのカバレッジエリア中のＡＴに対して、ＯＴＡで前記ＮＡＢを前記コンピュータに送信させるための第４の組のコードとを含み、
前記ＮＡＢは、前記ＡＴをサービスしていない、異なるタイプのＡＰに共通のＡＰによって送信され、前記隣接ＡＰは、前記ＡＴからＯＴＡで前記ダウンリンクの割当てを取得し、前記ダウンリンクの割当てを分析して、前記隣接ＡＰに対するトラフィックをスケジュールする、コンピュータ読取可能記憶媒体。
【請求項２５】
ワイヤレスネットワーク中のワイヤレス通信を容易にするアクセス端末（ＡＴ）中で用いられる方法において、
少なくとも１つのプロセッサを用いて、前記ワイヤレスネットワーク内の、サービングアクセスポイント（ＡＰ）と、ワイヤレスデバイスとの、それぞれのワイヤレス信号を分析することと、
少なくとも１つのアンテナを用いて、前記ワイヤレスデバイスからＮＡＢを取得し、前記ワイヤレスデバイスは、前記ＡＴをサービスしていない、異なるタイプのＡＰに共通のＡＰを備え、前記ＮＡＢは、前記ワイヤレスネットワークのＡＰに対して構成されているダウンリンクワイヤレス通信スケジューリングを指定することと、
前記少なくとも１つのアンテナを用いて、前記ワイヤレスネットワークの、前記サービングＡＰまたは非サービングＡＰに対して前記ダウンリンクワイヤレス通信スケジューリングを送信して、前記ワイヤレス通信の、ＡＴに向けられるスケジューリングを容易にすることとを含む方法。
【請求項２６】
ネットワーク割当て表示（ＮＡＩ）チャネルまたはメッセージを用いて、前記サービングＡＰまたは非サービングＡＰに対して前記ダウンリンクワイヤレス通信スケジューリングを送信することをさらに含む請求項２５記載の方法。
【請求項２７】
前記ＮＡＢは、前記ワイヤレスネットワークのＡＴに対する移動性管理命令をさらに含む請求項２５記載の方法。
【請求項２８】
前記ＮＡＢから、前記サービングＡＰまたは非サービングＡＰのＩＤを抽出して、前記ダウンリンクワイヤレス通信スケジューリングの宛先を決定することをさらに含む請求項２５記載の方法。
【請求項２９】
前記分析された信号から、前記サービングＡＰに関するワイヤレスチャネル情報を識別することと、
前記ワイヤレスチャネル情報を前記ワイヤレスデバイスに転送して、前記チャネル情報に基づいて、前記ダウンリンクワイヤレス通信スケジューリングの発生を容易にすることとをさらに含む請求項２５記載の方法。
【請求項３０】
前記ＮＡＢは、前記サービングＡＰに対する、ダウンリンクチャネルリソース、変調およびコーディングのスキーム、送信電力、空間モード、空間多重化モードまたは送信ダイバーシティモードを含む請求項２５記載の方法。
【請求項３１】
前記ＮＡＢは、前記サービングＡＰまたは非サービングＡＰルに対するアップリンクスケジューリングと、前記アップリンクスケジューリングに対する、前記ワイヤレスネットワークの、１つ以上のノードのＩＤとをさらに含む請求項２５記載の方法。
【請求項３２】
複数アンテナ通信に対して構成されている前記ワイヤレスネットワークのそれぞれのアクセスポイント（ＡＰ）に対して前記ダウンリンクワイヤレス通信スケジューリングを送信して、前記ワイヤレスネットワークのＡＴに対してＭＩまたはＭＩＭＯ通信を実現すること、または、
前記ＩＤから識別された、それぞれのノードに対して前記アップスケジューリングを送信して、前記ワイヤレスネットワークのＡＴに対して、分散されたＭＯまたはＭＩＭＯ通信を実現すること、のうちの少なくとも１つをさらに含む請求項３１記載の方法。
【請求項３３】
前記ワイヤレスネットワークにおいて干渉の緩和を容易にするために、前記信号分析から生じる干渉レベルを前記ワイヤレスデバイスに報告することをさらに含む請求項２５記載の方法。
【請求項３４】
前記ＮＡＢをデコードすることと、前記サービングＡＰ内のトラフィックまたは前記非サービングＡＰ内の干渉トラフィックに対する優先順位を取得することとをさらに含む請求項２５記載の方法。
【請求項３５】
ワイヤレスネットワーク中のワイヤレス通信を容易にする装置において、
ワイヤレス信号を送り、受信する１組のアンテナと、
前記ワイヤレスネットワーク内の、サービングアクセスポイント（ＡＰ）と、ワイヤレスデバイスとの、それぞれのワイヤレス信号を分析するプロセッサと、
前記ワイヤレスデバイスからＮＡＢを取得する受信機であって、前記ＮＡＢは、前記サービングＡＰに対して構成されているダウンリンクワイヤレス通信スケジューリングを指定し、前記ワイヤレスデバイスは、ＡＴをサービスしていない、タイプの異なるＡＰに共通のＡＰを備える、受信機と、
前記ワイヤレスネットワークの、前記サービングＡＰまたは非サービングＡＰに対して前記ダウンリンクワイヤレス通信スケジューリングを送信する報告モジュールとを具備する装置。
【請求項３６】
前記報告モジュールは、ＮＡＩチャネルまたはメッセージを用いて、前記ダウンリンクワイヤレス通信スケジューリングを送信する請求項３５記載の装置。
【請求項３７】
前記ＮＡＢは、前記装置に対する移動性管理命令をさらに含む請求項３５記載の装置。
【請求項３８】
前記装置に対する、ネットワーク管理される移動性を容易にするために、前記ワイヤレスデバイスに送信されるＡＰ報告メッセージ中にパイロット報告またはアクティブな１組のＡＰを含める移動性モジュールをさらに具備する請求項３５記載の装置。
【請求項３９】
前記プロセッサは、前記分析された信号のうちの少なくとも１つからワイヤレスチャネル情報を抽出し、
前記報告モジュールは、前記ワイヤレスチャネル情報を前記ワイヤレスデバイスに転送して、前記ワイヤレスチャネル情報に基づいて、前記サービングＡＰまたは非サービングＡＰに対する集中化したネットワークスケジューリングを容易にする請求項３５記載の装置。
【請求項４０】
前記プロセッサは、前記ＮＡＢから前記ダウンリンクワイヤレス通信スケジューリングを抽出し、
前記報告モジュールは、ダウンリンクワイヤレス通信情報を前記非サービングＡＰに送信して、前記ワイヤレスネットワークに対するＯＴＡリレースケジューリングを容易にする請求項３５記載の装置。
【請求項４１】
前記ＮＡＢは、前記装置に関係付けられているトラフィックに対するアップリンクスケジューリングをさらに含む請求項３５記載の装置。
【請求項４２】
前記ダウンリンクワイヤレス通信スケジューリングを用いて、前記装置とワイヤレストランシーバとの間で複数アンテナ通信を実現する共用通信モジュールをさらに具備し、
前記報告モジュールは、前記ダウンリンクワイヤレス通信スケジューリングを前記ワイヤレストランシーバに転送する請求項３５記載の装置。
【請求項４３】
前記ワイヤレストランシーバは、前記サービングＡＰ内のＡＴ、ワイヤレスリレー、あるいは、前記サービングＡＰまたは非サービングＡＰのＡＰである請求項４２記載の装置。
【請求項４４】
前記ＮＡＢをデコードして、前記サービングＡＰまたは非サービングＡＰ内の干渉トラフィックに対する優先順位を取得する調停モジュールをさらに具備する請求項３５記載の装置。
【請求項４５】
前記装置は、前記サービングＡＰまたは非サービングＡＰにおいて管理される優先順位スケジューリングのために、前記干渉トラフィックに対する優先順位を、前記サービングＡＰまたは非サービングＡＰに転送する請求項４４記載の装置。
【請求項４６】
ワイヤレスネットワーク中のワイヤレス通信を容易にする装置において、
少なくとも１つのプロセッサを用いて、前記ワイヤレスネットワーク内の、サービングアクセスポイント（ＡＰ）と、ワイヤレスデバイスとの、それぞれのワイヤレス信号を分析する手段と、
少なくとも１つのアンテナを用いて、前記ワイヤレスデバイスからＮＡＢを取得する手段であって、前記ＮＡＢは、前記サービングＡＰに対して構成されているダウンリンクワイヤレス通信スケジューリングを指定し、前記ワイヤレスデバイスは、ＡＴをサービスしていない、異なるタイプのＡＰに共通のＡＰを備える、手段と、
前記少なくとも１つのアンテナを用いて、前記ワイヤレスネットワークの、前記サービングＡＰまたは非サービングＡＰに対して前記ダウンリンクワイヤレス通信スケジューリングを送信して、前記ワイヤレス通信の、ＡＴにより向けられるスケジューリングを容易にする手段とを具備する装置。
【請求項４７】
ワイヤレスネットワーク中のワイヤレス通信を容易にする、少なくとも１つのプロセッサにおいて、
前記ワイヤレスネットワーク中の、サービングＡＰと、ワイヤレスデバイスとの、それぞれのワイヤレス信号を分析する第１のモジュールと、
前記ワイヤレスデバイスからＮＡＢを取得するモジュールであって、前記ＮＡＢは、前記ワイヤレスネットワークのＡＰに対して構成されるダウンリンク通信スケジューリングを指定し、前記ワイヤレスデバイスは、ＡＴをサービスしていない、異なるタイプのＡＰに共通のＡＰを備える、第２のモジュールと、
前記ワイヤレスネットワークの、前記サービングＡＰまたは非サービングＡＰに対して前記ダウンリンクワイヤレス通信スケジューリングを送信して、前記ワイヤレス通信の、ＡＴにより向けられるスケジューリングを容易にする第３のモジュールとを具備する少なくとも１つのプロセッサ。
【請求項４８】
コンピュータ読取可能記憶媒体において、
ワイヤレスネットワーク中の、サービングアクセスポイント（ＡＰ）と、ワイヤレスデバイスとの、それぞれのワイヤレス信号をコンピュータに分析させるための第１の組のコードと、
前記ワイヤレスデバイスからＮＡＢを前記コンピュータに取得させるための第２の組のコードであって、前記ＮＡＢは、前記ワイヤレスネットワークのＡＰに対して構成されているダウンリンクワイヤレス通信スケジューリングを指定し、前記ワイヤレスデバイスは、ＡＴをサービスしていない、異なるタイプのＡＰに共通のＡＰを備える、第２の組のコードと、
前記ワイヤレスネットワークの、前記サービングアクセスポイント（ＡＰ）または非サービングＡＰに対して前記ダウンリンクワイヤレス通信スケジューリングを前記コンピュータに送信させて、前記ワイヤレス通信の、ＡＴにより向けられるスケジューリングを容易にするための第３の組のコードとを含むコンピュータ読取可能記憶媒体。
【発明の詳細な説明】
【合衆国法典第３５部第１１９条に基づく優先権の主張】
【０００１】
特許に対する本出願は、２００８年２月１日に出願され、本出願の譲受人に譲渡され、参照により明白にここに組み込まれている、通信ネットワークにおけるスケジューリング方法および装置と題する米国仮出願第６１／０２５，５１５号に対する優先権を主張する。
【特許に対する同時継続出願への参照】
【０００２】
特許に対する本出願は、本出願の譲受人に譲渡され、参照により明白にここに組み込まれ、同時に出願された、代理人ドケット第０８０７３８Ｕ２号を有する、Ｔｉｎｇｆａｎｇ Ｊｉ氏による同時継続中の米国特許出願“異種ネットワークにおける仮想スケジューリング”に関連する。
【分野】
【０００３】
以下の記述は一般に、ワイヤレス通信に関し、より詳細には、ワイヤレス通信に対するリソースのスケジューリングに関する。
【背景】
【０００４】
ワイヤレス通信システムは、例えば、音声コンテンツ、データコンテンツなどのような、さまざまなタイプの通信コンテンツを提供するために広く展開されている。典型的なワイヤレス通信システムは、利用可能なシステムリソース（例えば、帯域幅、送信電力）を共有することによって複数のユーザとの通信をサポートできる多元接続システムとすることができる。そのような多元接続システムの例は、コード分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、これらに類似するものとを含むことができる。
【０００５】
一般に、ワイヤレス多元接続通信システムは、複数の移動デバイスに対する通信を同時にサポートできる。各移動デバイスは、フォワードリンクおよびリバースリンク上での送信を通して、１つ以上の基地局と通信できる。フォワードリンク（すなわちダウンリンク）は、基地局から移動デバイスへの通信リンクを指し、リバースリンク（すなわちアップリンク）は、移動デバイスから基地局への通信リンクを指す。さらに、移動デバイスと基地局との間の通信は、単一入力単一出力（ＳＩＳＯ）システム、複数入力単一出力（ＭＩＳＯ）システム、複数入力複数出力（ＭＩＭＯ）システムなどを通して確立できる。
【０００６】
ＭＩＭＯシステムは、データ送信に対して、複数（ＮT本）の送信アンテナと、複数（ＮR本）の受信アンテナとを用いる。ＮT本の送信アンテナと、ＮR本の受信アンテナとにより形成されるＭＩＭＯチャネルは、空間チャネルとも呼ばれるＮS個の独立チャネルに分解されてもよい。ここで、ＮS≦最小値｛ＮT，ＮR｝である。ＮS個の独立チャネルのそれぞれは、１つの次元に対応する。複数の送信アンテナおよび受信アンテナにより生成される、追加の次元が利用される場合、ＭＩＭＯシステムは、性能の向上（例えば、より高いスループットおよび／または、より大きな信頼性）を提供できる。
【０００７】
ワイヤレスメッセージは一般に、コードなどにしたがって、時間、周波数において細分割されて、情報が伝達される。例えば、フォワードリンクメッセージは、１つ以上のプリアンブルにセグメント化された、少なくとも１つの時間セグメント（例えば、さまざまな時間の長さの、タイムスロット、スパーフレームなど）と、いくつかの時間サブセグメント（例えば、タイムサブスロット、時間フレーム）とを含む。プリアンブルは、獲得情報および制御情報を搬送し、一方、他のさまざまな時間フレームは、音声通話に関係がある音声情報や、データ通話またはデータセッションに関係があるデータパケットや、あるいはこれらに類似するもののような、トラフィックを搬送する。獲得情報は、所定の移動ネットワークセル内の移動端末によって利用して、セクタ内の送信基地局を識別できる。制御チャネル情報は、受信信号をデコードするための、コマンドおよび他の命令を提供する。
【０００８】
さまざまな移動通信システム（例えば、ウルトラモバイルブロードバンド［ＵＭＢ］、第３世代パートナーシッププロジェクト［３ＧＰＰ］ロングタームエボリューション［ＬＴＥあるいは単にＬＴＥ］）において、プリアンブルまたは類似の構造は、上述したものと類似の情報、または、異なる情報とすることができる。例えば、いくつかのシステムにおけるプリアンブルは、同期パイロットまたは獲得パイロットを搬送して、遠隔の送信機を識別し、機能をデコードするタイミングを確立できる。さらに、プリアンブルは、遠隔の端末が、電源投入時にセルをサーチし、ハンドオフ決定をするのに必要なセルの初期値パラメータを決定することを可能にし、ネットワークとの通信を確立し、非制御チャネルを復調する、制御情報を搬送できる。他の機能は、何らかのワイヤレスシステムに対するトラフィックチャネルのフォーマットを指定することを含むことができる。一般に、プリアンブルは、ワイヤレス信号のトラフィック関連の部分と別に設定されて、受信機において、アプリケーション関連情報と制御情報との区別を容易にする。したがって、受信機は、トラフィック部分を監視することを必要とせずに、制御部分を監視して、信号が受信デバイスに関係するトラフィックを含んでいるかどうかを識別できる。制御部分は一般に、総信号のわずかな部分にすぎないことから、受信機デバイスは、関連情報が信号に含まれているかどうかを決定するために信号プリアンブルを監視することによって、処理要求および電力消費を著しく低減させることができる。それゆえに、ワイヤレスシグナリングに対して制御チャネルを用いることは、より効果的な通信だけでなく、移動デバイスに対するバッテリ寿命を伸ばすことによる移動性の向上ももたらす。
【０００９】
ワイヤレスアクセスネットワークの計画された配置において、電波信号の干渉は、アクセスポイント（例えば、基地局）およびアクセス端末による送信から結果として生じ得る。特定のセル内の干渉は、例えば、隣接のセルにおけるアクセスポイントまたはアクセス端末によってもたらされる可能性がある。一般に、計画された配置は、送信電力および予期される干渉にしたがって、基地局を位置付けることによって管理される。しかしながら、特に、デバイスが高い電力送信を利用するとき、干渉は依然として送信機間で発生する可能性がある。干渉を低減させるために、干渉低減信号をアクセスネットワーク内で利用できる。干渉低減信号を受信する基地局は、その送信電力、または、基地局によってサービスされるアクセス端末（ＡＴ）の送信電力を低減させることができる。しかしながら、計画されていない、または、なかば計画されているワイヤレスアクセスポイントの配置が存在する場合、位置または送信電力がアクセスネットワークによって正確に知られていない送信機からの干渉を低減させるために、追加の干渉低減メカニズムが有用となり得る。
【概要】
【００１０】
１つ以上の観点の基本的な理解を提供するために、以下の記述は、そのような観点の単純化した概要を与える。この概要は、考えられるすべての観点の広範な概観ではなく、すべての観点の、主なまたは重要な要素を識別するようにも、いくつかの、またはすべての観点の範囲を詳細に描写するようにも向けられていない。その唯一の目的は、後に与えられるより詳細な説明に対するプレリュードとして、単純化した形態で、１つ以上の観点のいくつかの概念を与えることである。
【００１１】
主題の開示は、移動通信環境におけるワイヤレスリソースの仮想管理を提供する。通信環境におけるアクセス端末（ＡＴ）は、近くのネットワーク送信機との接続を維持し、マクロ基地局のような、中央エンティティに対して、ワイヤレススケジューリングに関係するファクターを報告する。マクロ基地局は、マクロ基地局によりサービスされるマクロカバレッジエリア内の、または、その近くの他のサービングセルに対するワイヤレス通信を向上させる際に、それらのファクターを用いることができる。セル内の送信の、現行のワイヤレス状態、サービス品質（ＱｏＳ）要求、パイロット信号報告、移動性管理考慮などに関係する情報を維持することにより、マクロカバレッジエリア、または、近くのカバレッジエリアに対して、著しい干渉の低減を実現できる。
【００１２】
主題の開示の他の観点にしたがうと、ＡＴは、ＡＴの範囲における複数のネットワークアクセスポイント（ＡＰ）のワイヤレス送信を監視するように構成できる。特に、ＡＴは、ＡＴをサービスするセルの、制御チャネル信号または獲得パイロット信号を監視できる。いくつかの観点において、サービングセルに対する干渉管理に関係するデータは、リソース報告メッセージに束ねられて、マクロ基地局に提供される。ＡＴは、マクロ基地局からネットワーク割当てブロック（ＮＡＢ）メッセージをさらに取得できる。ＮＡＢは、（ワイヤレスネットワークの隣接セル内のＡＴによりマクロ基地局に報告される、）ワイヤレスネットワークのサービングセルおよび隣接セル内の、チャネル品質状態、予測される干渉、送信強度、ＱｏＳ、または、同様の考慮に基づくことができる。したがって、ＮＡＢは、そのようなセルのワイヤレス状態およびトラフィック状態の管理に基づいて、サービングセルおよび隣接セルに対して通信の向上を提供できる。
【００１３】
他の観点において、主題の開示は、複数アンテナ通信の仮想スケジューリングを提供する。そのような通信は、複数入力単一出力（ＭＩＳＯ）通信を含む複数入力（ＭＩ）通信、単一入力複数出力（ＳＩＭＯ）通信を含む複数出力（ＭＯ）通信、または、複数入力複数出力（ＭＩＭＯ）通信を含むことができる。例えば、複数アンテナ通信は、（例えば、ピアツーピアリンクを通して）１つ以上の他のＡＴ、ワイヤレスリレーまたは中継器、あるいは隣接セルと共に、ＡＴにより実現できる。複数アンテナ通信に関係付けられている送信または受信パラメータ（例えば、タイミングパラメータ、送信電力パラメータ、デコーディングパラメータ、フィルタリングパラメータ、チャネル推定パラメータなど）は、上述したように、近くのセルのワイヤレス状態およびトラフィックＱｏＳ要求を用いる基地局により提供できる。したがって、改善される干渉緩和と、ことによると改善されるビームフォーミング利得が、そのような状態および要求の知識に基づいて、複数アンテナ通信から結果として生じ得る。例えば、スケジューリング基地局またはサービングセルが、まわりのセルに関する、信頼できる、または十分な情報を持たない場合、そのような結果は、特に有利となり得る。
【００１４】
主題の開示の少なくとも１つの観点において、ワイヤレスネットワークにおけるワイヤレス通信のための方法を提供する。方法は、１組のプロセッサを用いて、ワイヤレスネットワークの隣接セルに対するネットワーク割当てブロック（ＮＡＢ）を発生させることができる。隣接セルに対してダウンリンク通信を割り当てて、割当てをＮＡＢ中に含めることをプロセッサに生じさせるための命令を実行できる。さらに、ワイヤレスネットワークのカバレッジエリア中のＡＴに対して、無線（ＯＴＡ）でＮＡＢの送信を開始することをプロセッサに生じさせるための命令を実行できる。さらに、方法は、命令をメモリにセーブすることを含むことができる。
【００１５】
１つ以上の他の観点において、ワイヤレス通信環境における、調整された通信のための装置を開示する。装置は、ワイヤレス通信を送り、受信するための少なくとも１つのアンテナを備えることができる。さらに、装置は、調整されたワイヤレス通信スケジューリングを実現するための１組のプロセッサを備えることができる。さらに、プロセッサは、ワイヤレスネットワークの隣接セルに対してダウンリンク通信を割当て、かつ、ダウンリンク割当てをＮＡＢにエンコードするように構成できる。さらに、プロセッサは、少なくとも１つのアンテナを用いて、ワイヤレスネットワークによりサービスされているＡＴを介して、ＯＴＡで、ＮＡＢを隣接セルに転送するように構成できる。
【００１６】
主題の開示のさらなる他の観点において、ワイヤレスネットワークにおけるワイヤレス通信のための装置を提供する。装置は、ワイヤレスネットワークの隣接セルに対するＮＡＢを発生させるために、命令コードを処理する手段を備えることができる。さらに、処理命令は、隣接セルに対してダウンリンク送信を割り当てて、ダウンリンク割当てをＮＡＢ中に含めることと、ワイヤレスネットワークのカバレッジエリア中のＡＴに対して、ＯＴＡでＮＡＢの送信を開始することとを処理手段に生じさせることができる。
【００１７】
さらに他の観点において、ワイヤレスネットワークにおけるワイヤレス通信に対して構成されている少なくとも１つのプロセッサを開示する。プロセッサは、命令コードを処理して、ワイヤレスネットワークの隣接セルに対するＮＡＢを発生させる第１のモジュールを備えることができる。プロセッサは、隣接セルに対してダウンリンク送信を割り当てて、ダウンリンク割当てをＮＡＢ中に含める第２のモジュールをさらに備えることができる。さらに、プロセッサは、ワイヤレスネットワークのカバレッジエリア中のＡＴに対して、ＯＴＡで割当ての送信を開始する第３のモジュールを備えることができる。
【００１８】
１つ以上の追加の観点にしたがって、コンピュータ読取り可能媒体を備えるコンピュータプログラムプロダクトを提供する。コンピュータ読取り可能媒体は、ワイヤレスネットワークの隣接セルに対するＮＡＢを発生させることをコンピュータに生じさせるための第１の組のコードを備えることができる。さらに、コンピュータ読取り可能媒体は、隣接セルに対してダウンリンクワイヤレス通信を割り当てて、ダウンリンク割当てをＮＡＢ中に含めることをコンピュータに生じさせるための第２の組のコードを備えることができる。
【００１９】
さらに、コンピュータ読取り可能媒体は、ワイヤレスネットワークのカバレッジエリア中のＡＴに対して、ＯＴＡでＮＡＢを送信することをコンピュータに生じさせるための第３の組のコードを備えることができる。
【００２０】
上記に加えて、ワイヤレスネットワークにおけるワイヤレス通信を容易にする方法を開示する。方法は、少なくとも１つのプロセッサを用いて、ワイヤレスネットワークの、サービング基地局と、非サービングセルとの、それぞれのワイヤレス信号を分析することを含むことができる。さらに、方法は、少なくとも１つのアンテナを用いて、第２のデバイスからＮＡＢを取得することを含むことができ、ＮＡＢは、ワイヤレスネットワークのセルに対して構成されているダウンリンクワイヤレス通信スケジューリングを指定する。方法は、少なくとも１つのアンテナを用いて、ワイヤレスネットワークのサービング基地局または非サービングセルに対してダウンリンクワイヤレス通信スケジューリングを送信して、ワイヤレス通信の、ＡＴにより指示されるスケジューリングを容易にすることをさらに含むことができる。
【００２１】
主題の開示の他の観点において、ワイヤレスネットワークにおけるワイヤレス通信を容易にする装置を提供する。装置は、ワイヤレス信号を送り、受信する１組のアンテナと、
ワイヤレスネットワーク内の、サービング基地局と、非サービングセルとの、それぞれのワイヤレス信号を分析するプロセッサとを備えることができる。さらに、装置は、第２のワイヤレスデバイスからＮＡＢを取得する受信機を備えることができ、ＮＡＢは、サービング基地局に対して構成されているダウンリンクワイヤレス通信スケジューリングを指定する。さらに、装置は、ワイヤレスネットワークの、サービング基地局または非サービングセルに対してダウンリンクワイヤレス通信スケジューリングを送信する報告モジュールを備えることができる。
【００２２】
１つ以上の他の観点において、ワイヤレスネットワークにおけるワイヤレス通信を容易にする装置を開示する。装置は、少なくとも１つのプロセッサを用いて、異種ＡＰネットワークの、サービング基地局と、非サービングセルとの、それぞれのワイヤレス信号を分析する手段を備えることができる。装置はまた、少なくとも１つのアンテナを用いて、第２のワイヤレスデバイスからＮＡＢを取得する手段を備えることができ、ＮＡＢは、サービングセルに対して構成されるダウンリンクワイヤレス通信スケジューリングを指定する。さらに、装置は、少なくとも１つのアンテナを用いて、ワイヤレスネットワークのサービング基地局または非サービングセルに対してダウンリンクワイヤレス通信スケジューリングを送信して、ワイヤレス通信の、ＡＴにより指示されるスケジューリングを容易にする手段を備えることができる。
【００２３】
さらなる他の観点にしたがって、ワイヤレスネットワークにおけるワイヤレス通信を容易にする、少なくとも１つのプロセッサを開示する。プロセッサは、ワイヤレスネットワークの、サービング基地局と、非サービングセルとの、それぞれのワイヤレス信号を分析する第１のモジュールを備えることができる。さらに、プロセッサは、第２のワイヤレスデバイスからＮＡＢを取得する第２のモジュールを備えることができ、ＮＡＢは、ワイヤレスネットワークのセルに対して構成されているダウンリンク通信スケジューリングを指定する。上記に加えて、プロセッサは、ワイヤレスネットワークの、サービング基地局または非サービングセルに対してダウンリンクワイヤレス通信スケジューリングを送信して、ワイヤレス通信の、ＡＴにより指示されるスケジューリングを容易にする第３のモジュールを備えることができる。
【００２４】
主題の開示の少なくとも１つの他の観点において、コンピュータ読取り可能媒体を備えるコンピュータプログラムプロダクトを提供する。コンピュータ読取り可能媒体は、ワイヤレスネットワーク中の、サービング基地局と、非サービングセルとの、それぞれのワイヤレス信号を分析することをコンピュータに生じさせるための第１の組のコードを備えることができる。さらに、コンピュータ読取り可能媒体は、第２のワイヤレスデバイスからＮＡＢを取得することをコンピュータに生じさせるための第２の組のコードを備えることができ、ＮＡＢは、ワイヤレスネットワークのセル対して構成されているダウンリンクワイヤレス通信スケジューリングを指定する。さらに、コンピュータ読取り可能媒体は、ワイヤレスネットワークの、サービング基地局または非サービングセルに対してダウンリンクワイヤレス通信スケジューリングを送信して、ワイヤレス通信の、ＡＴにより指示されるスケジューリングを容易にすることをコンピュータに生じさせるための第３の組のコードを備えることができる。
【００２５】
先のおよび関連する目的を達成するために、１つ以上の観点は、以下で十分に記述し、特に特許請求の範囲において示す特徴を含んでいる。以下の記述および添付図面は、１つ以上の観点のいくつかの実例となる観点を詳細に示す。これらの観点は、さまざまな観点の原理を用いることができる、さまざまな方法のうちのほんのいくつかを表すにすぎず、記述する観点は、このようなすべての観点およびそれらの均等物を含むように向けられている。
【図面の簡単な説明】
【００２６】
【図１】図１は、ここで開示する観点にしたがった、異種ネットワークにおいて仮想スケジューリングを提供する例示的なシステムのブロック図を描写する。
【図２】図２は、ネットワークの隣接セルに対するワイヤレス状態を共通の基地局に提供する例示的なシステムのブロック図を図示する。
【図３】図３は、仮想スケジューリングを提供して、ワイヤレス通信の向上を容易にする例示的なシステムのブロック図を描写する。
【図４】図４は、さらなる観点にしたがった、分散されている複数アンテナ通信に対して仮想スケジューリングを提供する例示的なシステムのブロック図を図示する。
【図５】図５は、異種ネットワークにおける仮想スケジューリングを容易にするように構成されている基地局を備えた例示的なシステムのブロック図を図示する。
【図６】図６は、本開示のいくつかの観点にしたがった、仮想スケジューリングを容易にするように構成されているＡＴを備えた例示的なシステムのブロック図を描写する。
【図７】図７は、他の観点にしたがった、異種ネットワークにおいて仮想スケジューリングを提供する例示的な方法のフローチャートを説明する。
【図８】図８は、さらなる観点において、仮想スケジューリングに基づいて、ワイヤレス通信の向上を実現する例示的な方法のフローチャートを描写する。
【図９】図９は、異種ネットワークにおける複数アンテナ通信に対して仮想スケジューリングを用いる例示的な方法のフローチャートを説明する。
【図１０】図１０は、他の開示された観点にしたがった、異種ネットワークにおいて仮想スケジューリングを容易にする例示的な方法のフローチャートを描写する。
【図１１】図１１は、異種ネットワークにおいて、仮想スケジューリングと複数アンテナ通信とを容易にする例示的な方法のフローチャートを説明する。
【図１２】図１２は、異種ネットワークにおいて仮想スケジューリングを提供するブロック図を描写する。
【図１３】図１３は、異種ネットワークにおいて仮想スケジューリングを容易にするブロック図を描写する。
【図１４】図１４は、ワイヤレス通信に対する例示的な装置のブロック図を図示する。
【図１５】図１５は、主題の開示の観点にしたがった、例示的な移動通信環境のブロック図を描写する。
【図１６】図１６は、主題の開示のさらなる観点にしたがった、例示的なセルラ通信環境のブロック図を図示する。
【詳細な説明】
【００２７】
同じ参照数字が、全体を通して同じ要素に言及するために使用される図面に関連して、さまざまな観点を、これから説明する。以下の記述において、説明のため、１つ以上の観点の完全な理解を提供するために、多数の特定の詳細な説明を述べる。しかしながら、これらの特定の詳細な説明なしに、そのような観点を実施できることは明白であるかもしれない。他の例において、１つ以上の観点の記述を容易にするために、よく知られている構造およびデバイスをブロック図の形態で示す。
【００２８】
さらに、本開示のさまざまな観点を以下で記述する。ここでの教示は、幅広いさまざまな形態で具現でき、ここで開示されている、何らかの特定の構造および／または機能は、典型的なものにすぎないことが明らかなはずである。ここでの教示に基づいて、ここで開示する観点は、他の何らかの観点とは無関係に実現できることと、これらの観点のうちの２つ以上をさまざまな方法で組み合せることができることとを、当業者は理解するはずである。例えば、ここで示すいくつかの数の観点を使用して、装置を実現でき、および／または、方法を実施できる。さらに、ここで示す観点のうちの１つ以上に加えて、または、それ以外に、他の構造および／または機能を使用して、装置を実現でき、および／または、方法を実施できる。例として、ここで記述する、方法、デバイス、システムおよび装置の多くは、異種移動アクセスネットワーク（ＡＮ）に対する複数セルの協調の仮想の構成という文脈において説明される。当業者は、類似の技術を他の通信環境に適用できることを理解するはずである。
【００２９】
主題の開示において利用されるとき、用語“異種ネットワーク”は、共通の、または、類似の帯域幅内で配置される異なるタイプの基地局のネットワークを指す。異なるタイプの基地局は、異なる送信電力、異なる関連タイプ、異なる処理能力、異なる数の送信アンテナおよび受信アンテナ、基地局がバックホール接続により相互接続されているかどうか（例えば、リレー基地局）、または、これらに類似するもの、あるいは、これらの組み合わせに基づいて、分類できる。１ワットで送信する典型的なピコ基地局に対して、５０ワットまでで送信する典型的なマクロ基地局は、送信電力不同の例である。異なる関連タイプを有する基地局は、一般的なアクセス基地局を含むことができ、一般的なアクセス基地局は、制限アクセス基地局と比較して、適切な加入を有するほとんどの、または、すべてのワイヤレス端末に対してネットワークアクセスを提供する。制限アクセス基地局は、加入を有する端末の限定されたサブセットだけに対してネットワーク接続を提供する。
【００３０】
ワイヤレス通信システムは、さまざまなシグナリングメカニズムを用いることによって、ワイヤレスノード間での情報交換を実現する。１つの例において、とりわけ、タイミングシーケンスを確立し、かつ、信号源および信号源に関係付けられているネットワークを識別するパイロット信号を送信するために、基地局を用いることができる。ユーザ端末（ＵＴ）またはアクセス端末（ＡＴ）のような遠隔ワイヤレスノードは、パイロット信号をデコードして、基地局との基本的な通信を確立するのに必要な情報を取得できる。ワイヤレス周波数または１組の周波数、タイムスロット、シンボルコード、およびこれらに類似するもののような追加のデータは、基地局から送信される制御信号において伝達できる。このデータを利用して、基地局とＵＴとの間で伝達できる、音声通信またはデータ通信のような、ユーザ情報を搬送するトラフィックデータに対してワイヤレスリソースを確立できる。
【００３１】
このようなシステムにおける１つの重大な問題は、近くのワイヤレスノードのワイヤレス送信間の干渉である。干渉は、受信品質を低減させ、スループットを減速させ、または、厳しいときには通信を無能にする可能性がある。したがって、ワイヤレスノードを適切な距離に配置して、干渉を緩和するという点で、計画された基地局の配置は理想的である。例えば、（例えば、あるデシベル［ｄＢ］レベル内で測定される）そのような２つのノードの組み合わされた送信範囲に基づいて、距離を決定できる。さらに、ビームフォーミング技術を用いて、ノードに関して、特定の方向における干渉を低減させることができる。
【００３２】
密集した、または、なかばの／計画されていないワイヤレス配置において、セルにおける、フォワードリンク（ＦＬ）およびリバースリンク（ＲＬ）の干渉は、それぞれ隣接セルにおけるワイヤレスアクセスポイント（ＡＰ）およびＡＴによって支配され得る。さらに、異種ワイヤレスＡＮにおいて、比較的低い電力のノードが、比較的高い電力のノードの範囲に存在し、干渉の問題を悪化させる可能性がある。示すように、ＡＰは一般的に、ＡＰによってカバーされる地理的エリアに関連した電力で送信する。そのような地理的エリアはセルと呼ぶことができ、セルは、サイズが変動できる。例えば、マクロセルは、マイクロセル、ピコセル、フェムトセルなどよりも大きいものとすることができる。したがって、マクロセルをサービスするワイヤレスＡＰは一般に、マイクロセル、ピコセル、またはフェムトセルをサービスするＡＰよりも高い電力で送信する。計画されたネットワークに対して、ＡＰは、互いから適切な距離に位置付けられて、干渉が緩和される。ＡＰの配置が、なかば計画されているにすぎないか、または、計画されていない場合、著しい干渉が、隣接のＡＰによってサービスされているセルにおいて生じる可能性がある。１つの直接の例は、高い電力のマクロセルＡＰの送信が、マクロセルに近い、より低い電力のＡＰに対して著しい干渉を招く可能性があることである。しかしながら、逆もまた、真となり得る。例えば、マクロセルによってサービスされている端末が、ピコセルにも近い場合、ピコは、マクロに対する重大な干渉者となり得る。さらに、制限されている関連ＡＰ（例えば、私有のフェムトセルＡＰ）は、この問題を複雑にする可能性がある。端末が、制限されているＡＰに非常に近く、かつ、そのようなＡＰに接続することが認められていない場合、特に、最も近い一般的なアクセスＡＰが、端末から長距離にある場合には、制限されているＡＰは、端末に対して著しい干渉を発生させる可能性がある。
【００３３】
（例えば、なかば計画されている／計画されていないネットワーク、または、異種アクセスタイプのネットワークを含む）ワイヤレスネットワークにおける干渉を低減させるために、主題の開示は、共通のネットワークノードにおいて、近くのセルのワイヤレス状態を集約することを提供する。集約を容易にするために、ＡＴは、複数のノードとのワイヤレスリンクを維持し、１つのノード（例えば、サービングノード）から共通ノードに情報を提出するように構成できる。ネットワークが、すべての隣接ノード配置に関する、十分な、または、信頼できる情報を持たない可能性がある、なかば計画されている、または、計画されていない配置において、この構成は特に有益なものとなり得る。
【００３４】
例として、所有者により配置されるフェムトノードは、ネットワークオペレータに関する知識をほとんど、または、まったく有さないことが多い、さまざまな所有者によって独立に設置されることがある。したがって、ネットワークは、いくつかのノード（例えば、他のマクロノード、あるいは、オペレータ配置の、マイクロ、ピコ、またはフェムトの配置ノード）の配置に関する情報を有することができるが、他のノードの配置に関する情報を有することができない。しかしながら、近くのノードのワイヤレス信号を監視することによって、セル内のＡＴは、ギャップのいくつかを埋めることを支援できる。ここで使用するとき、サービングノードまたはＡＰは、（音声、ＨＴＴＰ、ＦＴＰなどのような）トラフィックサービスをＡＴに提供し、またはＡＴに対して制御リンクを確立し、あるいは、これらに類似するものを実施するアクセスポイントを意味する。
【００３５】
ワイヤレスＡＮに対するワイヤレス通信は、フォワードリンク通信（例えば、ＡＰからＡＴへの通信）およびリバースリンク通信（例えば、ＡＴからＡＰへの通信）として分類できる。フォワードリンク上で、ＡＴは、隣接セルにおける隣接ＡＰからの干渉を経験することがある。例えば、ＡＴにおいて、サービングＡＰから受信した信号は、隣接ＡＰから受信した信号と相互に混ざる可能性がある。隣接ＡＰが、サービングＡＰ（例えば、ピコセルＡＰ）よりも高い電力送信機（例えば、マクロセルＡＰ）である場合、フォワードリンク干渉は、ＡＴに対するワイヤレス通信を著しく劣化させることがある。したがって、信号強度および／またはチャネルリソースの管理は、より低い電力ワイヤレスＡＰによってサービスされているＡＴに対して、著しい利益を提供できる。
【００３６】
先述の特定の例として、ＡＴが、サービングＡＰとして、わずかなパス損失を有するＡＰを選択することが有益となり得る。低いパス損失信号は、送信するＡＰからの所定の距離においてエネルギーをあまり損失せず、同じ距離を伝わる、高いパス損失信号よりも、受信機において、より高い電力で受信されることから、このことが見出される。したがって、送信するＡＰは、より少ない電力を利用して、低いパス損失信号を送信し、さらに、受信機において、類似の性能を達成できる。より低い電力で送信することは、平均して、ネットワークに対して、より小さい干渉をもたらし、それは、同様に、ＡＰおよびＡＴのためになる。低いパス損失の利益に関わらず、選択されたＡＰは、離れている、はるかに高い電力で送信する、より高いパス損失のＡＰよりも、はるかに低い送信電力を有するかもしれない。このケースにおいて、低いパス損失のＡＰからの信号は、高いパス損失のＡＰ信号よりも、著しく弱くＡＴにおいて受信されることがあり、高い干渉を結果として生じ得る。代替のシナリオにおいて、強いフォワードリンク信号強度を有するワイヤレスＡＰは、ＡＴを認識しないプライベートＡＰであり得る。そのようなＡＰは、ＡＴに対して、バックエンドネットワーク（例えば、移動通信ネットワーク、インターネット、または、これらに類似するもの）へのアクセスを否定できる。そのようなケースにおいて、ＡＴは、ＡＴにおいて受信されるはるかに弱い信号を有する、離れているワイヤレスＡＰへの接続を強制され得る。
【００３７】
セル間干渉による問題を緩和するために、共通のＡＰ（マクロ基地局を含むことができるが、マイクロ基地局、ピコ基地局、または、何らかの環境において、例えばフェムト基地局がネットワークリソースへのアクセスを有するとき、さらにフェムト基地局、のような他のＡＰを含むこともできる）は、共通のＡＰによってサービスされる特定のカバレッジにおける隣接セル間で、調整されたスケジューリングを提供できる。共通のＡＰは、カバレッジエリア内のさまざまなＡＰによりネットワークにアップロードされたネットワーク情報だけでなく、カバレッジエリア内の、または、その近くの１つ以上のＡＴにより共通のＡＰに報告された情報も用いることができる。干渉の観点から、そのような情報は、（それぞれ、ＡＰによってブロードキャストされるか、または、ＡＴにおいて計算される）ＦＬまたはＲＬの送信に対する送信電力と、現行のＦＬまたはＲＬの干渉状態とを含むことができる。さらに、情報は、カバレッジエリア内の、または、その近くのワイヤレスノードにより報告される、さまざまなＦＬまたはＲＬデータフローのＱｏＳコミットメントを含むことができる。少なくとも１つの観点において、情報は、ＡＴにより維持されるアクティブな１組のＡＰのような、移動性管理情報をさらに含むことができる。
【００３８】
ネットワークおよびＡＴにより提出される情報に基づいて、共通のＡＰは、カバレッジエリア内の、または、その近くのＡＰおよびＡＴに対する、適切なワイヤレス送信スケジューリングを決定できる。スケジューリングは、現行の干渉レベルに基づく、さまざまな送信に対する送信電力を含むことができる。さらに、スケジューリングは、さまざまな送信に対して１つ以上のワイヤレス信号リソース（例えば、タイムスロットおよび周波数サブ帯域、または、これらの適切な部分、直交周波数多元接続［ＯＦＤＭ］シンボル、コード分割多元接続［ＣＤＭＡ］コード、または、これらの組み合わせ）を指定できる。主題の開示の少なくとも１つの観点において、スケジューリングは、ＡＴを隣接ＡＰにハンドオフすることを指示し、または、例えば、隣接ＡＰをアクティブな移動性の組に加えることを指示する、ネットワーク指示の移動性命令を含むことができる。
【００３９】
上記に加えて、ワイヤレス送信スケジューリングは、さまざまな送信スケジューリングに対して優先レベルを確立できる。優先順位は、例えば、異なるタイプのトラフィックに対するＱｏＳコミットメント、異なるタイプのワイヤレス加入サービス、または、これらに類似するものに基づくことができる。優先順位を、受信ＡＰまたはＡＴにより利用して、共通のＡＰにより提供されるスケジューリングに従うか、そのようなスケジューリングを修正するか、または無視するかどうかを決定できる。そのような決定は、ＡＰまたはＡＴにより管理されるトラフィックの対応する優先順位、優先順位における衝突の存在、現在の干渉レベル、ＱｏＳコミットメント、トラフィックのタイプなどに基づくことができる。
【００４０】
共通のＡＰの特定のカバレッジエリアにおけるＡＰおよびＡＴに対してアップリンク（すなわちＲＬ）またはダウンリンク（すなわちＦＬ）のスケジューリングを提供できるスケジューリングメッセージに、共通のＡＰにより決定されるワイヤレス送信スケジューリングを束ねることができる。１つ以上のワイヤレスノードに対して、および、アップリンクまたはダウンリンクの通信に対して、スケジューリングメッセージは、送信リソース（例えば、タイムスロット、周波数、シンボル、ワイヤレス信号のコード）、空間多重化モード、送信ダイバーシティモード、アンテナ係数、送信電力、変調およびコーディングのスキーム、または、これらに類似するものを指定できる。主題の開示のいくつかの観点において、スケジューリングメッセージは、ネットワーク割り当てブロック（ＮＡＢ）メッセージを含むことができる。しかしながら、ＮＡＢまたはスケジューリングメッセージに対する送信ルートは、送信に先立って、ソースからターゲットに事前に確立される必要がないことを理解すべきである。むしろ、メッセージにおいて指定された、サービングセルまたは干渉セルのＩＤに基づいて、あるいは、メッセージによってターゲットにされている１つ以上のＡＴのＩＤに基づいて、あるいは、これらの組み合せに基づいて、スケジューリングメッセージ／ＮＡＢは、受信ノードまたはそのようなノードのシーケンス（例えば、カバレッジエリア内のＡＴまたはワイヤレス中継器）により、１つ以上のターゲットノードにリアルタイムにルーティングできる。したがって、セルラネットワーク（例えば、ＣＤＭＡネットワーク）におけるＵＬ受信ダイバーシティのケースの１つの特定の例として、ＡＴは、サービングセルから事前に確立されているマクロダイバーシティの組に、割り当て／許可メッセージを転送して、ＵＬ通信に対するセル間の協調を可能にできる。用語ＮＡＢが、主題の記述および特許請求の範囲において使用される場合、ＮＡＢは、上述の特性にしたがう一般的なスケジューリングメッセージを指し、ＮＡＢの送信に先立って、事前に確立されているパスルーティングを有するＮＡＢを必ずしも指さないが、一般的なスケジューリングメッセージは、適切な事例において後者の解釈を含むことができることを理解すべきである。
【００４１】
いったん生成されると、ＮＡＢは、共通のＡＰによりサービスされているカバレッジエリア内の、または、その近くのノードに転送できる。主題の開示の１つの観点において、共通のＡＰは、バックホールネットワークを用いて、ＮＡＢを他のＡＰに送信できる。他の観点において、ＮＡＢは、カバレッジエリア中の、または、その近くの１つ以上のＡＴまたはワイヤレスリレーを介して、無線（ＯＴＡ）で、他のＡＰにルーティングできる。例えば、バックホール接続が存在しない場合、または、バックホールが比較的乏しいスループットを有する場合に、ＯＴＡルーティングは有益になり得る。さらに他の観点において、ＡＴによる実現に対して、または、ＡＰを担当しているＡＰへの転送に対して、ＮＡＢは、ユニキャストメッセージを通してＡＴに直接送信できる。
【００４２】
上記に加えて、ＮＡＢは、スケジューリングに対してターゲットにされるノードの識別を指定できる。そのような識別は、ターゲットＡＴのＩＤと、そのようなＡＴをサービスするＡＰのＩＤとを含むことができる。受信ＡＴは、ＮＡＢをデコードして、メッセージが受信ＡＴに対して向けられているかどうかを決定できる。そうである場合、そのようなＡＴは、メッセージを分析して、ＮＡＢをサービングＡＰに転送できる。
【００４３】
少なくとも１つの観点において、受信ＡＴは、ネットワーク割当てステータス（ＮＡＳ）メッセージ、ネットワーク割当て表示（ＮＡＩ）チャネルまたはメッセージ、あるいは、これらに類似するものにより、ＦＬまたはＲＬの送信のステータスを共通のＡＰに知らせることができる。ＮＡＳ／ＮＡＩメッセージは、肯定応答（ＡＣＫ）チャネル、リクエスト（ＲＥＱ）チャネル、または、類似の制御チャネルのような、専用の制御チャネルを通して、共通のＡＰに送信できる。代わりに、ＮＡＳメッセージは、ワイヤレスリレー局を通して共通のＡＰに提出でき、または、サービングＡＰにより発生させて、バックホール接続を通して提出できる。他の観点において、ＡＴは、ＮＡＳ／ＮＡＩチャネルまたはメッセージを用いて、ＮＡＢをサービングＡＰに転送できる。代わりに、または、加えて、例えば、ＮＡＢが、隣接セルのＩＤまたは隣接セルによってサービスされるＡＴを指定する場合、ＡＴは、ＮＡＳ／ＮＡＩチャネルまたはメッセージを用いて、ＮＡＢを隣接セルに転送できる。
【００４４】
主題の開示のさらなる観点にしたがうと、ＮＡＢは、それぞれ、ＦＬまたはＲＬチャネル上で、干渉するＡＰまたは干渉するＡＴのＩＤを含むことができる。共通のＡＰに見えない他のトラフィックとのコンテンション調停に対して、ＮＡＢに対する優先順位をさらに利用できる。そのＩＤによりＮＡＢをデコードする干渉ノード（またはサービングノード）は、優先順位およびワイヤレス状態に基づいて、（例えば、ワイヤレスリソースを変更することにより）ＮＡＢスケジューリングに干渉しないように決定でき、または、指定されたリソース上での干渉を低下させることを決定できる。干渉ノードがＡＴである場合、そのようなノードは、ネットワーク管理のＦＬおよびＲＬの送信スケジューリングに対して、ＮＡＢをそのサービングＡＰに中継することもできる。少なくとも１つの観点において、ＡＴは、ＮＡＢをデコードおよび分析でき、ＮＡＢに含まれているスケジューリング情報から、および、サービングセルまたは周囲のセルのワイヤレス状態から、ＲＬ送信をスケジュールし、または、ＲＬ送信のスケジューリングを支援できる。同様に、干渉ノードがＡＰである場合、干渉するＡＰは、優先順位および現行のワイヤレス状態に基づいて、指定されたリソースに関して、（例えば、他のリソースを選択することにより）干渉を回避するか、または、（例えば、送信電力を低下させることにより）干渉を低減させることを決定できる。
【００４５】
主題の開示の少なくとも１つの追加の観点において、共通のＡＰは、ネットワークおよびＡＴにより提出されたワイヤレス情報を用いて、仮想の複数アンテナ通信を、そのような通信に対して構成されている１組のワイヤレスノードに対して容易にすることができる。ＭＩＭＯ通信は、ビームフォーミング利得を達成するためにチャネル状態の推定を伴うことから、集中化したスケジューラは、特に、異種ＡＰネットワークにおけるワイヤレス情報に基づいて、複数アンテナ通信のパラメータを計算する際に利点を有する。そのような環境において、共通のＡＰは、仮想の複数アンテナ通信に参加する複数のノードに対してＭＩＭＯ通信パラメータを計算できる。パラメータは、それぞれのパラメータをそれぞれのノードに関係付けている割当てと共に、ＮＡＢにおいて提出できる。したがって、ノードは、共通のＡＰによりコンパイルされた集中化したデータに基づいて、そのような通信を実現でき、そのような集中化したスケジューリングを通して利用可能なスループットにおいて利点を取得する。
【００４６】
これから図面を参照すると、図１は、ワイヤレス通信に対して仮想スケジューリングを提供する例示的なシステム１００のブロック図を図示する。システム１００は、サービングセルＡＰ１０４によりサービスされる、少なくとも１つのサービングセルＡＴ１０２を含む。ＡＴ１０２は、システム１００の近くのＡＰ（１０４、１０６、１１０）のワイヤレス送信を監視し、干渉関連の情報を共通の基地局（１０６）に提供して、仮想スケジューリングを容易にできる。特に、システム１００が、共通の基地局に知られていないか、または、不確かに知られている、１つ以上のＡＰを含む場合、干渉関連の情報は、仮想スケジューリングに基づいて、さらには、パケット毎のベースで、著しい干渉の低減をもたらすことができる。
【００４７】
サービングセルＡＴ１０２は、ワイヤレスネットワークとのワイヤレス通信に対して構成されている任意の適切なワイヤレス通信デバイスを含むことができる。例は、移動デバイス（例えば、移動電話機、ラップトップ、パーソナルデジタルアシスタント、スマート電話機など）または固定ワイヤレスデバイス（例えば、コンピュータ、固定ワイヤレス局、固定リレーなど）を含むことができる。特に、サービングセルＡＴ１０２は、システム１００の少なくとも２つのＡＰの制御チャネル情報を監視するように構成されている。監視される制御チャネルは、ＦＬ制御チャネル、または、（例えば、ＡＣＫ、ＲＥＱ、チャネル品質インジケータ［ＣＱＩ］、自動要求［ＡＲＱ］、ハイブリッドＡＲＱ［ＨＡＲＱ］などを含む）ＲＬフィードバックチャネルを含むことができる。ＡＰは、マクロ基地局、マイクロ基地局、ピコ基地局、またはフェムト基地局のような基地局、あるいは、他の適切なワイヤレスネットワークアクセスポイントを含むことができる。一般的に、監視されるＡＰのうちの少なくとも１つは、サービングＡＰ１０４である。監視される別の適切なＡＰは、システム１００において共通のスケジューリングＡＰとして機能するマクロセルオーバーレイ１０６である。しかしながら、さらに、ＡＴは、サービングセルＡＰ１０４の隣接のセルにおける干渉ＡＰ１１０の制御チャネル情報を監視できる。
【００４８】
制御チャネル情報を監視することにより、ＡＴ１０２は、ワイヤレスノードの現在のワイヤレスチャネル状態を識別できる。そのような状態は、（例えば、それぞれ、ＡＴまたはＡＰに対する）ＲＬまたはＦＬの送信電力割当て、ＡＰ（１０４、１０６、１１０）における干渉、あるいは、これらに類似するものを含むことができる。ＡＴ１０２は、１つ以上のそのような状態を、セル報告メッセージ１０８に束ねて、メッセージ１０８をマクロセルオーバーレイ１０６に引き渡すことができる。いくつかの観点において、ＡＰ１０４、１０６、１１０からＦＬ信号を受信すると、報告１０８は、ＡＴ１０２により開始できる。代替として、報告１０８は、サービングＡＰ１０４またはマクロオーバーレイＡＰ１０６のようなＡＰによりトリガできる。少なくとも１つの観点において、報告１０８は、定期的に、または、しきい値レベルを下回るように落ちるワイヤレス状態に基づいて、提出できる。
【００４９】
セル報告メッセージ１０８を受信すると、マクロオーバーレイＡＰ１０６は、報告１０８をメモリ１１４中に記憶させ、１組の通信プロセッサ１１２を用いて報告１０８をデコードできる。セルのワイヤレス状態に関する情報が抽出されて、メモリ１１４中に記憶される。メモリ１１４は、例えば、現在のワイヤレス状態だけでなく、時間に対するそのような状態の変化も管理するデータベースとすることができる。さらに、データベース（１１４）は、記憶されているワイヤレス情報に基づいて統計的分析を容易にして、さまざまな動的環境（例えば、カバレッジエリアにおけるＡＴの数、送信のＱｏＳ、トラフィック負荷、分散状態など）に基づいて、未来の状態を推定できる。
【００５０】
上記に加えて、プロセッサ１１２を用いて、適切な制御チャネルまたはトラフィックチャネルのリソースを計算して、ＡＰ１０４、１０６、１１０間の干渉を緩和できる。さらに、プロセッサ１１２を用いて、マクロセルにおける、または、その近くのＦＬまたはＲＬ送信に対する適切な送信電力レベルを計算できる。計算は、提出されて（描写していない）ワイヤレスネットワークデータベースにおいて記憶されているデータ、報告１０８またはマクロセルにおける他のＡＴにより提出された同様の報告中で提供されるデータ、ＡＰ１０４、１１０により提出された（例えば、そのようなＡＰ１０４、１１０およびマクロＡＰ１０６の間のバックホール接続を通して直接、または、ＡＴ１０２を介してルーティングされた）データ、あるいは、別の適切な方法により取得されるデータ、に基づくことができる。
【００５１】
いったん決定されると、チャネルリソースまたは送信電力レベルは、ＮＡＢメッセージ１１６に束ねられて、無線でＡＴ１０２に転送される。少なくとも１つの観点において、ＮＡＢメッセージは、ＡＴ１０２にユニキャストされる。ユニキャストメッセージングは、ＡＴ１０２、サービングＡＰ１０４、または、サービングＡＰ１０４によりサービスされている他のＡＴに関係があるスケジューリングに対して有利なものとなり得る。他の観点において、例えば、スケジューリングが複数のセルにおけるノードをターゲットにする場合、ＮＡＢメッセージは、マクロセルの範囲におけるすべてのＡＴ（１０２）に対してブロードキャストメッセージで送信できる。
【００５２】
ＮＡＢメッセージ１１６を受信すると、ＡＴ１０２はメッセージをデコードして、メッセージ１１６が、ＡＴ１０２またはサービングＡＰ１０４に関係があるスケジューリング情報を含んでいるかどうかを決定する。決定は、ＮＡＢメッセージ１１６がサービングセル（１０４）内のノードのＩＤを含んでいるかどうかに基づくことができる。ＮＡＢメッセージがＡＴ１０２に関係がある場合、ＡＴ１０２は、メッセージ１１６をデコードするか、または、ＡＰ向けのスケジューリングのために、メッセージ１１６をサービングＡＰ１０４に転送できる。ＮＡＢメッセージがＡＴ１０２に関係がない場合、メッセージ１１６は、メッセージ１１６において識別されるＡＰ（１０４、１１０）に代わりに転送される。
【００５３】
少なくともいくつかの観点において、ＮＡＢ１１６は、マクロセルＡＰ１０６によって決定された、１つ以上のリソースまたは送信電力の命令に対する優先順位情報を含むことができる。優先順位情報に基づいて、受信者ノード（１０２、１０４、１１０）は、命令に従うか、命令を修正するか、または命令を無視するかを決定できる。そのような決定は、優先順位の衝突が、受信者ノード（１０２、１０４、１１０）に関係する既存のトラフィックにより発生するかどうかに、例えば、現在のワイヤレス状態、または、これに類似するものに、基づくことができる。
【００５４】
少なくとも１つの追加の観点において、ＮＡＢメッセージ１１６は、ＡＴ１０２に対する移動性管理命令を含むことができる。移動性管理命令は、アクティブなハンドオフの組に対するＡＰ（１０４、１０６、１１０）の選択、または、（例えば、トラフィック負荷、セル干渉、または、これらに類似するものに基づく）異なるＡＰへのハンドオフに対するコマンドを含むことができる。ＡＴの構成、または、現行のワイヤレス状態に基づいて、ＡＴ１０２は、移動性管理命令に従うか、命令を修正するか、または命令を無視するかを選択できる。
【００５５】
図２は、異種ＡＰネットワークに対するワイヤレス状態のＯＴＡ決定を容易にする例示的なシステム２００のブロック図を描写する。システム２００は、ＡＰネットワークのサービングセル（２０４）内のＡＴ１０２と、ネットワークの隣接セル（２０８）内のＡＴ２０６とを含む。さらに、ネットワークは、マクロセル２１０を含む。サービングＡＰ２０４および隣接ＡＰ２０８は、マクロセル２１０と直接の接続を持たない。したがって、例えば、サービングＡＰ２０４および隣接ＡＰ２０８は、セルのそれぞれの所有者により独立に配備される、フェムトセルとすることができる。それぞれのＡＰ２０４、２０８、２１０は、他のＡＰ２０４、２０８、２１０とは無関係にサービスするセルに対してトラフィックスケジューリングを実行できる。したがって、さまざまなＡＰ２０４、２０８、２１０に対する、それぞれのＡＴ２０２、２０６の近さ次第で、および、さまざまなワイヤレス送信の、現在の送信強度、パス損失、または、これらに類似するもの次第で、干渉がＦＬおよびＲＬのチャネル上の間で生じる可能性がある。
【００５６】
この干渉の緩和を支援するために、ＡＴ２０２、２０６は、範囲内の複数のＡＰの制御チャネル情報を監視するように構成できる。一般に、そのような監視は、それぞれのサービングＡＰ（２０４、２０８）だけでなく、マクロセルＡＰ２１０も少なくとも含むだろう。制御チャネルを監視することにより、ＡＴ２０２、２０６は、ＡＰ２０４、２０８、２１０によりサービスされている、それぞれのセル内の現在の送信強度を識別できる。さらに、制御チャネルから、ワイヤレスリソースの割当てを識別できる。ＡＴ２０２、２０６は、制御チャネルから、リソースまたは送信強度の情報を抽出し、そのような情報を、それぞれのセル報告メッセージ２１２、２１４に束ねるように構成されている。そのようなメッセージは、それぞれ、サービングセルおよび隣接セルに対するワイヤレスチャネル状態を提供する。
【００５７】
報告メッセージ２１２、２１４は、ＲＬワイヤレスリソース（例えば、ＡＣＫ、ＣＱＩ、ＡＲＱ、ＨＡＲＱ、または、同様のチャネル）上で、マクロセル２１０に送信される。マクロセル２１０は、それぞれの報告２１２、２１４をデコードして、それぞれのセル２０４、２０８の現在のワイヤレス状態に関する情報をセーブできる。したがって、マクロセル２１０は、さもなければ、マクロセル２１０をサポートするネットワークから利用できないかもしれない、フェムトセルに関する情報を取得できる。この情報に基づいて、マクロセル２１０は、マクロセル内のＦＬまたはＲＬ通信に対して、調整された干渉管理を提供できる。例えば、マクロは、第１の組のワイヤレスリソースを用いることをＡＴ２０２に指示し、一方、異なる第２の組のワイヤレスリソースを用いることを隣接ＡＴ２０４に指示して、ＲＬチャネル上での干渉を回避できる。同様に、マクロセル２１０は、ＦＬ送信に対して異なる組のリソースを用いることを、それぞれのＡＰに指示して、ＦＬ上での干渉を低減させることができる。代わりに、または、さらに、マクロセル２１０は、１つ以上のノード（２０２、２０４、２０６、２０８）に指示して、送信電力を修正させて、隣接ノード（２０２、２０４、２０６、２０８）に対する干渉を低減させることができる。結果として、システム２００は、動的ワイヤレス状態において、異種ＡＰ（２０４、２０８）の発展した配備に対してでさえ、干渉管理の向上を達成できる。
【００５８】
図３は、ワイヤレス通信に対する仮想スケジューリングのための例示的なシステム３００のブロック図を描写する。システム３００は、基地局３０２を備え、基地局３０２は、ここで記述するように、基地局３０２によりサービスされるセルに対してワイヤレススケジューリングを提供するように構成されている。この目標を達成するために、基地局３０２は、セル内の特定のＡＴ３０６に対する、適切なチャネルリソースまたは送信電力レベルを計算する。スケジューリング情報は、ＮＡＢ３０４にコンパイルでき、ＮＡＢ３０４は、基地局３０２により用いられるＦＬチャネル上で、ＡＴ３０６に送信される。
【００５９】
描写するように、ＮＡＢ３０４は、さまざまな情報を含むことができる。ＡＴ３０６のＩＤをＮＡＢ３０４中に含めて、スケジューリングターゲットとしてＡＴ３０６を識別できる。さらに、ＮＡＢ３０４は、ＡＴ３０６をサービスするセルのＩＤを含むことができる。サービングセルＩＤにより、ＡＴ３０６は、ＦＬスケジューリングに対するターゲット基地局（３２０）を決定することが可能になる。システム３００により描写するように、サービング基地局は、ＮＡＢ３０４を提供するノードである。しかしながら、ＡＴ３０６が、（描写していない）別の基地局にハンドオフする場合、例えば、ＡＴ３０６は、セルＩＤを利用して、ＮＡＢ３０４が、その現在のセルに向けられているか、または隣接セルに向けられているかを決定できる。
【００６０】
ＡＴおよび基地局のＩＤに加えて、ＮＡＢ３０４は、１つ以上の干渉ノードのＩＤと、そのようなノードのトラフィック優先順位とを指定できる。ＮＡＢ３０４は、ＡＴ３０６、そのサービング基地局（３０２）、または、干渉ノードによって用いるべき、特定の制御チャネルまたはトラフィックチャネルのリソースをさらに指定できる。したがって、ＡＴ３０６は、そのようなデータに基づいて、それ自身の送信に対する適切なリソースまたは強度を識別できる。少なくとも１つの観点において、決定は、ＮＡＢ３０４内で指定された優先レベルに関して実施される。したがって、ＡＴ３０６は、それ自身の送信の優先レベルと、干渉者の送信の優先レベルとを比較できる。ＡＴ３０６が、より高い優先順位を有する場合、例えば、それは、送信強度を増加させることができる。代わりに、または、さらに、ＡＴ３０６は、ＮＡＢ３０４を干渉ノード（例えば、隣接ＡＰ）に転送して、ＡＴ３０６により用いられるリソース上での干渉の低減を容易にすることができる。ＡＴ３０６が、より低い優先順位を有する場合、それは、送信強度を低減させるか、または、（例えば、ＮＡＢ３０４中で指定されている）異なる組のチャネルリソースを選択して、より高い優先順位のノードとの干渉を回避できる。干渉を低下させるか、または、リソースを切り換えるかを決定することは、優先順位の不一致と、それぞれの組のチャネルリソースに関係付けられている現在の干渉状態とに基づいて実施できる。
【００６１】
主題の開示の少なくとも１つのさらなる観点において、ＮＡＢ３０４は、ＡＴ３０６に対する移動性管理データを含むことができる。そのようなデータは、ハンドオフの決定、アクティブなＡＰの組の選択、または、これらに類似するものにおいて用いることができる。さらに他の観点にしたがうと、ＮＡＢ３０４は、ＡＴ３０６と、（描写していない）別のノードとの間の複数アンテナ通信に対するパラメータを含むことができる。パラメータは、そのような通信に対する特定のチャネルリソースだけでなく、複数アンテナ送信に対する、それぞれのタイミングまたは送信電力、あるいは、複数アンテナ送信に対するデコーディングおよびフィルタリングのパラメータも示すことができる。ここで記述する、集中化したスケジューリングを通して利用可能な改善された干渉に起因して、異種ＡＰネットワークにおいてでさせえ、追加の利得を複数アンテナ通信から達成できる。
【００６２】
図４は、主題の開示の観点にしたがった、分散されている複数アンテナ通信に対して仮想スケジューリングを提供する例示的なシステム４００のブロック図を図示する。システム４００は、分散されているワイヤレス通信デバイス４０８Ａ、４０８Ｂ、４０８Ｃ、４０８Ｄ（４０８Ａないし４０８Ｄ）を備えている、分散されている複数アンテナ構成４０２を含むことができる。分散されている構成４０２を利用して、基地局４０４のような遠隔ワイヤレストランシーバとの、ＭＩＭＯ、ＭＩＳＯ、またはＳＩＭＯの通信を実現できる。いくつかの観点において、基地局４０４は、（ＭＩＳＯまたはＳＩＭＯの通信に対して）単一のアンテナを備えることができるのに対して、他の観点において、基地局４０４は、（ＭＩＭＯ通信に対して）複数のアンテナを備えることができる。
【００６３】
描写するように、複数アンテナ構成４０２は、さまざまなタイプのワイヤレスデバイス４０８Ａないし４０８Ｄを備えることができる。例えば、デバイス４０８Ａないし４０８Ｄは、サービングＡＰ４０８Ｂ（例えば、マクロ、マイクロ、ピコまたはフェムトのＡＰ）のセル内にサービングＡＴ４０８Ａを備えることができる。さらに、デバイスは、（例えば、固定またはモバイルのリレーを含む）１つ以上のワイヤレスリレー４０８Ｃと、サービングセルの隣接のセルにおける１つ以上の隣接ＡＴ４０８Ｄとを含むことができる。デバイス４０８Ａないし４０８Ｄにより、さまざまなメカニズムを利用して、トラフィックデータまたはスケジューリング情報を交換して、デバイス４０８Ａないし４０８Ｄ間に分散された複数アンテナ通信を実現できる。例えば、１つ以上のピアツーピア通信リンクを用いて、ピアデバイス（４０８Ａ、４０８Ｄ）を通信可能に結合できる。そのようなデバイスは、ＲＬおよびＦＬの両方の通信チャネル上で送信および受信するように構成できる。代わりに、デバイス（４０８Ａ、４０８Ｂ）のサブセットは、典型的なセルラ通信プロトコルを用いることができ、ここで、少なくとも１つのデバイスは、別のそのようなデバイスと同時の送信または受信を容易にするために、ＲＬおよびＦＬの両方のチャネル上で送信および受信するように構成されている。少なくとも１つの観点にしたがって、ワイヤレス中継器４０８Ｃを用いて、他のデバイス（４０８Ａ、４０８Ｂ、４０８Ｄ）とインターフェースして、少なくとも１つのそのような他のデバイスとの複数アンテナ通信を容易にすることができる。
【００６４】
ここで記述するように、サービングＡＴ４０８Ａは、隣接ワイヤレスノード（４０４、４０８Ｂ、４０８Ｃ、４０８Ｄ）の送信を監視して、ノードにより報告されるワイヤレス通信状態（例えば、干渉、送信強度、送信／受信リソース）を取得できる。通信状態を記述したデータは、サービングＡＴ４０８Ａにより基地局４０４に転送される。そのような情報に基づいて、基地局４０４は、分散されている複数アンテナ構成４０２に含まれるデバイスのサブセットによる複数アンテナ送信または受信に対するパラメータを計算できる。それぞれのデバイス（４０８Ａないし４０８Ｄ）により実現される、パラメータのサブセットは、デバイス（４０８Ａないし４０８Ｄ）のそれぞれのＩＤに関係付けることができる。パラメータは次にＮＡＢメッセージ４０６に束ねられて、ＯＴＡで、（例えば、ユニキャストメッセージを介して）サービングＡＴ４０８Ａに転送されるか、または、分散されている構成４０２にブロードキャストされる。前者のケースにおいて、サービングＡＴ４０８Ａは、ＮＡＢをデバイス間で配信する（または、パラメータのサブセットを抽出し、それぞれのデバイス４０８Ｂ、４０８Ｃ、４０８Ｄに対してそれぞれのサブセットを配信する）か、あるいは、配信のために、リレー４０８ＣにＮＡＢを配信する。
【００６５】
それゆえに、それぞれのデバイス４０８Ａないし４０８Ｄは、それらのそれぞれの複数アンテナ送信／受信を調整するパラメータを受信または抽出できる。パラメータを用いることによって、デバイス４０８Ａないし４０８Ｄは、同様な周波数上で送信して、基地局４０４との複数アンテナアップリンク４１０を実現できる。代わりに、または、さらに、デバイス４０８Ａないし４０８Ｄは、複数アンテナダウンリンク４１２送信を受信し、送信をデコードおよび配信して、ビームフォーミング利得を達成できる。
【００６６】
図５は、主題の開示の観点にしたがった、例示的なシステム５００のブロック図を描写する。特に、システム５００は、異種アクセスポイント環境における仮想スケジューリングに対して構成されている基地局５０２を備えることができる。例えば、基地局５０２は、基地局５０２によりサービスされるカバレッジエリアの近くの、または、そのエリア内の１つ以上のＡＴ５０４から、セル報告メッセージを受信するように構成できる。さらに、セル報告メッセージは、カバレッジエリア内のワイヤレスノードに関するワイヤレスチャネル情報を含むことができ、基地局５０２に結合されているデータベース５３０中にワイヤレスチャネル情報を記憶させることができる。さらに、ここで記述するように、基地局５０２は、ワイヤレスチャネル情報を用いて、カバレッジエリア内の送信をスケジュールして、緩和された干渉を達成できる。
【００６７】
基地局５０２（例えば、アクセスポイント、．．．）は、受信機５１０と送信機５０８とを備えることができ、受信機５１０は、１つ以上の受信アンテナ５０６を通して、ＡＴ５０４のうちの１つ以上からワイヤレス信号を取得し、送信機５２８は、送信アンテナ５０８を通して、変調器５２６により提供される、コード化された／変調されたワイヤレス信号を１つ以上のＡＴ５０４に送る。受信機５１０は、受信アンテナ５０６から情報を取得でき、ＡＴ５０４によって送信されたアップリンクデータを受信する（示していない）信号受信器をさらに備えることができる。さらに、受信機５１０は、受信情報を復調する復調器５１２に動作可能に関係付けられている。復調されたシンボルは、通信プロセッサ５１４により分析される。通信プロセッサ５１４はメモリ５１６に結合されており、メモリ５１６は、基地局５０２により、提供されるか、または実現される機能に関する情報を記憶する。１つの例において、記憶される情報は、ワイヤレス信号を構文解析し、基地局５０２のフォワードリンク送信と、ＡＴ５０４のリバースリンク送信とをスケジュールするためのプロトコルを含むことができる。
【００６８】
上記に加えて、基地局５０２は、通信プロセッサ５１４を用いて、ＡＴ５０４またはＡＴ５０４を担当しているワイヤレスネットワークノードに対するＮＡＢメッセージを発生させることができる。ＮＡＢメッセージは、ＡＴ５０４により報告されるか、または、ネットワークデータベース５３０から取得されるネットワーク状態（５３４）に基づいてプロセッサ５１４により計算される、リソーススケジューリング、送信電力レベル、または、移動性管理指示を提供できる。さらに、スケジューリング、電力レベルまたは移動性管理は、基地局５０２の隣接の異種ＡＰに対して、最適な干渉低減を達成するように構成できる。ＮＡＢメッセージは、ブロードキャストまたはユニキャストメッセージングを介してＡＴ５０４に提出でき、あるいは、基地局５０２をワイヤレスネットワークの隣接ノードに通信可能に結合する、ワイヤードまたはワイヤレスのバックホールインターフェース５２０を介して、ワイヤレスネットワークの隣接ノードに提出できる。
【００６９】
さらに、基地局５０２は、ＡＴ５０４に対して複数アンテナ通信を実現するためのそれぞれのパラメータを計算する調整モジュール５１８を備えることができる。少なくとも１つの観点において、基地局５０２は、割当てモジュール５２２を備え、割当てモジュール５２２は、ネットワークデータベース５３０から取得されるか、または、ＡＴ５０４によって提出される、ＡＴ５０４および隣接ノードに対するＩＤ情報を維持する。割当てモジュール５２２は、特定のＡＴ５０４または隣接ノードに対する特定のスケジューリングを識別するために、ＩＤ情報をＮＡＢメッセージに含めることができる。さらに、割当てモジュール５２２は、ここで記述する複数アンテナ通信に関して、それぞれのＡＴ５０４または隣接ノードに対する送信または受信パラメータを区別するために、ＩＤ情報を用いることができる。少なくとも１つのさらなる観点において、基地局５０２は、重要モジュール５２４をさらに備えることができ、重要モジュール５２４は、ＡＴ５０４のそれぞれのトラフィックフローの優先順位を決定し、ＮＡＢメッセージ内で少なくとも１つの優先順位を指定する。優先順位は、ＡＴ５０４に関係付けられているトラフィックフローの、または、干渉ノードに関係付けられているトラフィックフローの、あるいは、その両方の、相対的な重要度を指定できる。指定された優先順位に少なくとも部分的に基づいて、ＡＴ５０４は、基地局５０２により提供されたスケジューリングに従うか、そのスケジューリングを修正するか、または無視するかを決定できる。
【００７０】
図６は、主題の開示の観点を実現するように動作可能なＡＴ６０２を備える例示的なシステム６００のブロック図を図示する。ＡＴ６０２は、固定型ワイヤレスネットワークまたはアドホックワイヤレスネットワークの、１つ以上の遠隔トランシーバ６０４（例えば、アクセスポイント、Ｐ−Ｐパートナー）とワイヤレスに結合するように構成できる。固定型のネットワーク通信に対して、ＡＴ６０２は、フォワードリンクチャネル上で基地局（５０４）からワイヤレス信号を受信し、リバースリンクチャネル上でワイヤレス信号により応答できる。さらに、ピアツーピア（Ｐ−Ｐ）通信に対して、ＡＴ６０２は、それぞれ、フォワードリンクチャネルまたはリバースリンクチャネル上で遠隔Ｐ−Ｐパートナー（５０４）からワイヤレス信号を受信し、リバースリンクチャネルまたはフォワードリンクチャネル上でワイヤレス信号により応答できる。さらに、ＡＴ６０２は、ここで記述するように、複数のネットワークアクセスポイントの制御チャネルを監視し、ワイヤレス状態情報をマクロ基地局（６０４）に報告するための、メモリ６１４に記憶されている命令を含むことができる。
【００７１】
ＡＴ６０２は、信号を受信する、少なくとも１つのアンテナ６０６（例えば、入力／出力インターフェースを備える、ワイヤレス送信／受信インターフェース、または、そのようなインターフェースのグループ）と、受信機６０８とを含む。受信機６０８は、受信信号に、典型的な動作を実行する（例えば、フィルタリングし、増幅し、ダウンコンバートするなど）。一般に、アンテナ６０６および送信機６２６（集合的に、トランシーバとも呼ばれる）は、遠隔トランシーバ６０４とのワイヤレスデータ交換を容易にするように構成できる。
【００７２】
アンテナ６０６および受信機６０８はまた、復調器６１０と結合でき、復調器６１０は、受信シンボルを復調し、評価のために、そのような信号を処理回路６１２に提供できる。処理回路６１２は、ＡＴ６０２の１つ以上のコンポーネント（６０６、６０８、６１０、６１４、６１６、６１８、６２０、６２２、６２４、６２６）を制御および／または参照できる。さらに、処理回路６１２は、ＡＴ６０２の機能を実行することに関係がある情報または制御を含む、１つ以上のモジュール、アプリケーション、エンジン、または、これらに類似するもの（６１６、６１８、６２０、６２２）を実行できる。例えば、そのような機能は、送信電力レベル、スケジュールされる送信リソース、または、干渉状態に対して、複数の基地局の制御チャネルを監視することを含むことができる。さらに、機能は、ここで記述するように、制御チャネルからワイヤレス状態またはスケジューリング情報を抽出することと、そのようなデータをセル報告メッセージに束ねることと、メッセージに対する応答を受信することと、応答において提供されるスケジューリングを実現するかどうかを決定することと、あるいは、これらに類似する動作とを含むことができる。
【００７３】
さらに、ＡＴ６０２のメモリ６１４が、処理回路６１２に動作可能に結合されている。メモリ６１４は、送信および受信されるデータ、ならびに、これらに類似するもの、ならびに、遠隔デバイス（５０４）とのワイヤレス通信を行うのに適した命令を記憶できる。特に、命令を利用して、ここで記述する、ワイヤレスチャネル報告、移動性管理、トラフィック優先順位の決定、または、分散された複数アンテナ通信を実現できる。さらに、メモリ６１４は、上述の処理回路６１２により実行されるモジュール、アプリケーション、エンジンなど（５２０、６２２、６２４）を記憶できる。
【００７４】
少なくとも１つの観点において、ＡＴ６０２は、報告モジュール６１８を備えることができる。報告モジュールは、処理回路６１２により受信ワイヤレス信号から取得された制御信号情報を、セル報告メッセージに束ねるように構成できる。さらに、報告モジュールは、遠隔トランシーバ６０４に対してセル報告メッセージの送信を開始できる。さらに、ＡＴ６０２は、移動性モジュール６１８を備えることができ、移動性モジュール６１８は、移動性管理決定のために、アクティブな１組のネットワークＡＰ（６０４）を維持する。代わりに、または、さらに、移動性モジュール６１８は、サービング基地局（６０４）および（描写していない）隣接基地局のパイロット報告信号を分析して、ハンドオフ決定に関連して最適なサービングセルを決定できる。少なくともいくつかの観点において、移動性モジュール６１８は、セル報告メッセージ中にパイロット報告信号またはアクティブな１組のＡＰを含めて、ＡＴ６０２に対する、ネットワーク管理の移動性を容易にできる。
【００７５】
さらなる観点にしたがって、ＡＴ６０２は、共用通信モジュール６２０を備えることができ、共用通信モジュール６２０は、遠隔トランシーバ６０４から取得したワイヤレスリソーススケジューリングを用いて、ＡＴ６０２および別のワイヤレスデバイス（６０４）間の複数アンテナ通信を実現する。例えば、共用通信モジュール６２０は、リソーススケジューリングから複数アンテナパラメータを抽出して、ＡＴ６０２に関係があるパラメータを識別できる。共用通信モジュール６２０は、パラメータに基づいて、タイミングを利用して、リソース上で送信して、複数アンテナ送信を実現でき、または、パラメータを用いて、受信した通信をデコードおよびフィルタリングして、複数アンテナ受信を実現できる。少なくとも１つの他の観点において、ＡＴ６０２は、リソーススケジューリング情報をデコードし、かつ、ＡＴ６０２のトラフィックフローに対する、または、干渉トラフィックに対する、優先順位を取得する調停モジュール６２２をさらに備えることができる。優先順位に基づいて、調停モジュール６２２は、ワイヤレスリソーススケジューリングまたは指定された送信電力レベルに従うか、それらを修正するか、または無視するかを決定できる。決定における他のファクターは、干渉トラフィックとの優先順位の衝突、リソーススケジューリングにより提供されるリソース上でのチャネル状態、または、指定された送信電力レベルでの予測される干渉を含むことができる。
【００７６】
上述のシステムは、いくつかのコンポーネント、モジュール、および／または通信インターフェース間の対話に関して記述されている。このようなシステムおよびコンポーネント／モジュール／インターフェースは、そこで指定したそれらのコンポーネントまたはサブコンポーネント、指定したコンポーネントまたはサブコンポーネントのうちのいくつか、および／または、追加のコンポーネントを含むことができることを理解すべきである。例えば、システムは、ＡＴ６０２、基地局５０２、データベース５３０、複数アンテナ構成４０２、あるいは、これらの、または他のコンポーネントの異なる組み合わせを含むことができる。サブコンポーネントはまた、親のコンポーネント内に含まれる以外に、他のコンポーネントに通信可能に結合されたコンポーネントとして実現することもできる。さらに、集約機能を提供する単一のコンポーネントに１つ以上のコンポーネントを結合できることに注目すべきである。例えば、報告モジュール６１６は、移動性モジュール６１８を含むことができ、または、逆も同様であり、単一のコンポーネントとして、ワイヤレスチャネル報告および移動性管理報告を容易にできる。コンポーネントはまた、特にここで記述していないが、当業者に知られている１つ以上の他のコンポーネントと対話できる。
【００７７】
さらに、理解されるように、上述の開示したシステムのさまざまな部分および以下の方法は、人工知能あるいは知識またはルールベースのコンポーネント、サブコンポーネント、プロセス、手段、方法またはメカニズム（例えば、サポートベクタマシン、ニューラルネットワーク、エキスパートシステム、ベイジアン信念ネットワーク、ファジイ論理、データフュージョンエンジン、分類器．．．）を含んでいてもよく、または、それらから構成されていてもよい。そのようなコンポーネントは、とりわけ、ここですでに記述したものに加えて、実行されるいくつかのメカニズムまたは処理を自動化して、それにより、システムおよび方法の一部を、より適応性のあるものにさせるだけでなく、より効率的および知的にさせることができる。
【００７８】
上述の例示的なシステムを考慮すると、開示した主題事項にしたがって実現してもよい方法は、図７ないし１１のフローチャートに関連してより良く理解されるであろう。説明を簡単にするために、方法を一連のブロックとして示し、記述しているが、いくつかのブロックは、異なる順序で発生してもよく、および／または、ここで描写し、および記述しているブロック以外の他のブロックと同時に発生してもよいことから、請求される主題事項は、ブロックの順序によって限定されないことを理解および認識すべきである。さらに、以下で記述する方法を実現するために、説明されているすべてのブロックを必要としなくてもよい。さらに、以下で、および、この明細書全体を通して開示している方法は、製造物上に記憶して、そのような方法をコンピュータに移送および転送することを容易にすることができる。使用する用語である製造物は、任意のコンピュータ読取り可能デバイスからアクセス可能なコンピュータプログラム、キャリアに関連するデバイス、または、記憶媒体を包含するように向けられている。
【００７９】
図７は、主題の開示の観点にしたがった、異種ＡＰネットワーク環境において仮想スケジューリングを提供する例示的な方法７００のフローチャートを描写する。７０２において、方法７００は、ワイヤレス通信の割当てを伝達するＮＡＢを発生させる１組のプロセッサを起動できる。ＮＡＢは、（例えば、ワイヤレスネットワークのＡＰに対して）ダウンリンクトラフィックまたは（例えば、ワイヤレスネットワークのＡＴに対して）アップリンクトラフィック、あるいは両方に対して向けることができる。さらに、ダウンリンク通信に対して、通信の割当ては、ワイヤレスネットワークの任意のセル、中央スケジューリング装置（例えば、オーバーレイマクロ基地局）により直接サービスされるセルを除外した任意のセルに対して向けることができ、あるいは、特定のＡＴまたは１組のＡＴに関して、非サービングセル（例えば、特定のＡＴのアクティブな組内にないセル）に限定できる。同様に、アップリンク通信に対して、通信の割当ては、ワイヤレスネットワークの任意のセル内のアップリンクトラフィックに対して、中央スケジューリング装置以外の基地局によりサービスされるアップリンクトラフィック対して向けることができ、または、集中化したスケジューラに関して、非サービングセル（例えば、特定のＡＴまたは１組のＡＴに関して、集中化したスケジューラとアクティブな組を共有しないセル）におけるアップリンクトラフィックに限定できる。
【００８０】
７０４において、方法７００はオプションとして、ＡＴからアップリンク送信を取得し、アップリンク送信から、サービングＡＴの、またはサービングセルに隣接するセルの、ワイヤレスチャネル状態、移動性管理データ、または、既存のセルのスケジューリングデータを抽出できる。７０６において、方法７００は、ワイヤレスネットワーク内でアップリンクまたはダウンリンクの通信を割り当てることができる。割当ては、オプションとして、参照番号７０４からの抽出された情報に基づくことができる。上述したように、アップリンクまたはダウンリンクの通信は、ワイヤレスネットワークの任意のセル、割当てを発生させる集中化したスケジューラによりサービスされるセル以外のセル、または、少なくとも１つのＡＴがアクティブな組において集中化したスケジューラを持たないセルだけ、に対するものとすることができる。いくつかの観点において、割当てを計算して、ワイヤレスネットワークのワイヤレスノード間で、干渉を緩和し、移動性管理を提供し、アップリンクまたはダウンリンクの送信ダイバーシティ、空間多重化、集中化した変調またはコーディングのスキーム、あるいは、これらに類似するものを可能にすることができる。少なくとも１つの観点において、参照番号７０４においてオプションとして取得され、抽出された情報は、少なくとも１つのセルに対するチャネル状態を記述しているネットワーク情報を補うことができる。７０８において、方法７００は、ＯＴＡで、ＡＴに対して割当ての送信を開始できる。７１０において、方法７００はオプションとして、抽出した情報または割当てをメモリ中に記憶させることができる。
【００８１】
図８は、遠隔端末によるセル報告に基づいて、異種ネットワークにおける通信の向上を実現するための例示的な方法８００のフローチャートを説明する。８０２において、方法８００は、ＡＴからアップリンク送信を受信できる。８０４において、方法８００は、ＡＴに対して、干渉の緩和、移動性管理、または、複数アンテナ通信、あるいは、これらに類似するものを容易にするために、ＡＴに対するＮＡＢメッセージ（スケジューリングメッセージ）を発生させる１組のプロセッサを起動できる。
【００８２】
８０６において、方法８００は、アップリンク送信からＯＴＡスケジューリング情報を抽出できる。８０８において、方法８００は、隣接トラフィックによりＡＴに対してもたらされた、または、ＡＴにより、そのようなトラフィックに対してもたらされた干渉を決定できる。８１０において、方法８００は、送信から、ＱｏＳデータおよびネットワーク無線周波数データを抽出できる。８１２において、方法８００は、ＯＴＡスケジューリング情報に基づいて、複数セルの干渉を計算できる。８１４において、方法８００は、干渉、ＯＴＡスケジューリング情報、または、ＱｏＳ要求に基づいて、ＡＴおよび隣接ワイヤレスノードのトラフィックフロー間の干渉を緩和するために、スケジューリングを計算できる。８１６において、方法８００は、ＡＴに対するＮＡＢメッセージにおいて、計算されたスケジューリングをエンコードできる。８１８において、方法８００は、ＮＡＢメッセージにおいて、ＡＴまたはＡＴをサービスするセルのＩＤを指定できる。８２０において、方法８００は、ＯＴＡで、ＡＴに対してＮＡＢメッセージをユニキャストするか、あるいは、ワイヤードまたはワイヤレスのバックホールネットワークを通して、サービングセルにＮＡＢメッセージを提出して、容易に干渉を低減させることができる。
【００８３】
図９は、異種ＡＰネットワークにおいて、分散された複数アンテナ通信に対して仮想スケジューリングを実現するための例示的な方法９００のフローチャートを説明する。９０２において、方法９００は、ＡＴからアップリンク送信を受信できる。９０４において、方法９００は、１組のプロセッサを起動して、ＡＴに対するＮＡＢメッセージを発生させることができる。９０６において、方法９００は、アップリンク送信からＯＴＡスケジューリング情報を抽出して、ＡＴに対する、現行の干渉状態を決定できる。９０８において、方法９００は、アップリンク送信から、ＡＴが複数アンテナ通信に対して構成されているかどうか、および、そのような通信がＡＴに対して利用可能であるかどうかを決定できる。
【００８４】
９１０において、複数アンテナ通信がＡＴに対して利用可能な場合、方法９００は、９１２に進み、さもなければ、方法９００は、９１６に進む。９１２において、方法９００は、ＡＴと少なくとも１つの付加的なワイヤレスノードとに対して、複数アンテナ通信に対するそれぞれのパラメータを計算できる。９１４において、方法９００は、ＮＡＢメッセージにパラメータを含めることができる。さらに、それぞれのパラメータは、ＡＴまたはＡＴをサービスするセルの、あるいは、付加的なワイヤレスノードの、ＩＤにより区別できる。
【００８５】
９１６において、方法９００は、ＡＴに対して、複数セルの干渉スケジューリングを計算できる。９１８において、方法９００は、ＮＡＢメッセージに干渉スケジューリングを含めることができる。９２０において、方法９００は、ＡＴおよび付加的なワイヤレスノードに対してＮＡＭメッセージをブロードキャストするか、ＡＴにＮＡＢメッセージをユニキャストするか、あるいは、ワイヤードまたはワイヤレスのバックホールネットワークを通して、ＡＴをサービスするセルにメッセージを提出できる。
【００８６】
図１０は、主題の開示のさらなる観点にしたがった、ワイヤレス通信の仮想スケジューリングを容易にするための例示的な方法１０００のフローチャートを描写する。１００２において、方法１０００は、１組のプロセッサを用いて、ワイヤレスネットワークの複数のセルのワイヤレス信号を分析できる。主題の開示のいくつかの観点において、ワイヤレスネットワークは、異種ネットワークである。主題の開示のさらなる観点において、ワイヤレス信号のうちの少なくとも１つは、制御チャネル信号である。
【００８７】
１００４において、方法１０００はオプションとして、プロセッサを用いて、少なくとも１つのパラメータをセル報告メッセージに束ねることができる。束ねられたパラメータは、複数のセルのうちの少なくとも１つに対する干渉、セルに対する現在のリソーススケジューリング、セルのトラフィックフローの送信電力レベルまたはそのようなトラフィックフローに対するＱｏＳコミットメント、移動性管理情報（例えば、パイロット信号報告、アクティブな組のＡＰ）、あるいは、セル内の１組のＡＴに関する送信ダイバーシティ情報、あるいは、そのようなセルの１組のＡＰを表すことができる。
【００８８】
１００６において、方法１０００はオプションとして、ワイヤレスネットワークのマクロカバレッジエリアにワイヤレスアクセスを提供するマクロ基地局に対して報告メッセージを提出できる。１００８において、方法１０００は、ワイヤレスネットワークのセルに対して構成されているワイヤレス通信スケジューリングを含むＮＡＢメッセージを受信できる。ＮＡＢメッセージは、アップリンク通信の割当て、ダウンリンク通信の割当て、または両方を含むことができる。さらに、ＮＡＢは、ワイヤレスネットワーク内の集中化したスケジューラ（例えば、ワイヤレスネットワークのマクロ基地局）により発生させて、送信でき、ワイヤレスネットワークの任意の適切なセル、集中化したスケジューラによりサービスされないセル、または、アクティブな移動性の組において集中化したスケジューラを有さない、少なくとも１つのＡＴを有するセル（例えば、集中化したスケジューラが少なくとも１つのＡＴを担当しないセル）をターゲットにすることができる。
【００８９】
主題の開示のいくつかの観点において、ＮＡＢメッセージは、マクロ基地局により計算される、ネットワークリソーススケジューリング、送信電力スケジューリング、トラフィックフロー優先順位、または移動性管理指示を含むことができる。さらに、スケジューリングまたは指示はオプションとして、マクロセルに対して提出された情報に基づいて決定できる。１０１０において、方法１０００は、ＮＡＢメッセージにより提供されるスケジューリング情報の実現のために、ＮＡＢメッセージをメモリに記憶させることができる。例えば、情報に基づいて、指定されたＲＬトラフィックリソースを用いることができ、指定された送信電力を用いることができ、または、移動性管理決定を実現できる。スケジューリングは、ＡＰネットワーク中の複数のセルに関する情報から計算できることから、なかばの、または、計画されていないネットワーク環境においてでさえ、そのような実現から干渉の改善をもたらすことができる。
【００９０】
図１１は、ワイヤレス通信において、干渉の低減と、スループットの向上とを容易にするための例示的な方法１１００のフローチャートを説明する。１１０２において、方法１１００は、ワイヤレスネットワークに対して、隣接のアクセスポイントの制御信号を監視できる。特に、制御信号は、サービングセルまたは干渉セルと、マクロ基地局とに関係付けることができる。１１０４において、方法１１００は、制御信号から、干渉データまたはＱｏＳデータを識別できる。１１０６において、方法１１００は、干渉データまたはＱｏＳデータをマクロセル報告メッセージに束ねることができる。１１０８において、方法１１００は、マクロセル報告メッセージに応答して、ＮＡＢメッセージを受信できる。１１１０において、方法１１００は、ＮＡＢメッセージがメッセージを受信するＡＴに向けられているかどうかを決定できる。決定は、受信ＡＴのＩＤまたはサービングセルのＩＤがＮＡＢメッセージ内に含まれているかどうかに基づくことができる。
【００９１】
１１１２において、ＮＡＢメッセージが受信ＡＴに向けられていない場合、方法１１００は、１１１４に進み；さもなければ、方法１１００は、１１１８に進む。１１１４において、方法１１００は、ＮＡＢメッセージによりターゲットにされているセル／ＡＴを識別できる。１１１６において、方法１１００は、ＯＴＡで、識別されたセルまたはＡＴにＮＡＢを転送できる。セルへの送信に対して、ＲＬチャネルリソースを利用できる。ＡＴへの送信に対して、ＦＬピアツーピア通信リソースを代わりに利用できる。方法１１００は、ＮＡＢメッセージの転送後に終了する。
【００９２】
１１１８において、方法１１００は、受信ＡＴに関係付けられているサービングセルにＮＡＢメッセージを転送できる。１１２０において、方法１１００は、ＮＡＢをデコードして、競合するトラフィックの優先順位を識別できる。１１２２において、方法１１００は、少なくとも部分的に優先順位に基づいて、ＮＡＢメッセージ内で指定された干渉スケジューリングに従うかどうかを決定できる。決定はさらに、例えば、受信ＡＴのトラフィックフローの優先順位に基づくことができる。１１２４において、方法１１００は、優先順位にしたがって、または優先順位に基づいて修正して、ＮＡＢメッセージにより指定されたスケジューリングを実現できる。１１２６において、方法１１００はオプションとして、複数アンテナ通信に対する、ＮＡＢメッセージ中で指定されたパラメータをデコードして、実現できる。実現は、受信ＡＴのＩＤに関係付けられているそのようなパラメータを識別することに基づくことができる。さらに、実現は、ここで記述するように、複数アンテナ通信に参加する他の適切なワイヤレスノードの利用可能性によって決まり得る。
【００９３】
図１２および１３は、それぞれ、主題の開示の観点にしたがって、異種ＡＰネットワークにおいて仮想スケジューリングを用い、仮想スケジューリングを容易にするための例示的なシステム１２００、１３００のブロック図を描写する。例えば、システム１２００および１３００は、ワイヤレス通信ネットワーク内に、ならびに／あるいは、ノード、基地局、アクセスポイント、ユーザ端末、移動インターフェースカードに結合されているパーソナルコンピュータ、または、これらに類似するもののような送信機内に、少なくとも部分的に存在できる。システム１２００および１３００は、機能ブロックを含むものとして表され、機能ブロックは、プロセッサ、ソフトウェア、または、これらの組み合わせ（例えば、ファームウェア）によって実現される機能を表す機能ブロックとすることができることを理解すべきである。
【００９４】
システム１２００は、ワイヤレス通信環境における１つ以上のワイヤレスノードに対するワイヤレス通信命令を伝達するＮＡＢメッセージを処理するモジュール１２０２を備えることができる。ＮＡＢメッセージは、例えば、ブロードキャストまたはユニキャスト制御チャネルを利用して、ＯＴＡで、そのようなノードに送信できる。代わりに、または、さらに、バックホールのような、専用のワイヤードまたはワイヤレス接続を通して、１つ以上のそのようなノードにＮＡＢメッセージを送信できる。いくつかの観点において、ＮＡＢは、ダウンリンク通信の割当てを含むことができるのに対して、他の観点においては、ＮＡＢは、アップリンク通信の割当て、または、アップリンクおよびダウンリンクの両方の割当てを含むことができる。さらに、ＮＡＢは、ワイヤレス通信環境の任意のセル、システム１２００に隣接するセル、または、システム１２００がサービングセルではないセル（例えば、少なくとも１つのＡＴは、アクティブな移動性の組においてシステム１２００を有さない）、におけるノードに対する割当てを発生させることができる。
【００９５】
システム１２００は、さらにオプションとして、受信したアップリンク送信から、通信環境のセルに関するスケジューリング情報を抽出するモジュール１２０４を備えることができる。特に、情報は、少なくとも１つの制限アクセスＡＰに関係し得る。抽出されたスケジューリング情報は、アップリンクまたはダウンリンクのワイヤレストラフィックをスケジュールするモジュール１２０６に提供できる。スケジューリングを計算して、干渉の緩和、ＱｏＳの向上、移動性管理、送信または受信ダイバーシティ、複数アンテナ通信などを実現できる。１つのオプションの例において、モジュール１２０６は、セル内の干渉状態と、そのような干渉に寄与するノードとを識別するために、セルスケジューリング情報を用いることができる。識別された干渉に基づいて、リソースの選択または低減された電力送信を、ワイヤレストラフィックのスケジューリングに対して用いて、干渉を緩和することができる。モジュール１２０６は、モジュール１２０２により発生されたＮＡＢメッセージに、スケジュールされるアップリンクまたはダウンリンクのワイヤレストラフィックをエンコードできる。スケジュールされたトラフィックを送信するモジュール１２０８は、ブロードキャストまたはユニキャストシグナリングを通してターゲットワイヤレスノードに、あるいは、バックホールシグナリングを通して隣接セルに、ＮＡＢメッセージを転送できる。
【００９６】
システム１３００は、ネットワークの複数のＡＰのワイヤレス信号（例えば、制御チャネル信号）を同時に監視および処理するモジュール１３０２を備えることができる。複数のＡＰは、サービングＡＰ、干渉ＡＰ、または、（例えば、ワイヤレスネットワークに対する集中化したスケジューリング装置に関係付けられているか、または、それを備えている）マクロサービングＡＰを含むことができる。少なくとも１つの観点において、サービングＡＰまたは干渉ＡＰは、フェムト基地局を含むことができる。さらに、システム１３００はオプションとして、干渉ＡＰの、少なくとも１つの制御信号パラメータをセル報告メッセージに束ねるモジュール１３０４を備えることができる。別のオプションのモジュール１３０６は、メッセージをマクロサービングＡＰに送信できる。さらに、システム１３００は、アップリンクまたはダウンリンクのトラフィックスケジューリングを含むＮＡＢメッセージを受信するモジュール１３０８を備えることができる。システム１３００はＮＡＢメッセージを用いて、ワイヤレス環境における集中化したトラフィック管理を容易にすることができる。さらに、オプションのモジュール１３０４および１３０６を用いることにより、ワイヤレスネットワークが、制限されているか、または信頼できない情報を有するかもしれない基地局の配備を備えている異種ネットワークにおいて、集中化したトラフィック管理を実現できる。
【００９７】
図１４は、ここで開示したいくつかの観点にしたがってワイヤレス通信を容易にできる例示的なシステム１４００のブロック図を描写する。アクセスポイント１４０５におけるダウンリンク上で、送信（ＴＸ）データプロセッサ１４１０は、トラフィックデータを受け取り、フォーマットし、コード化し、インターリーブし、および変調（またはシンボルマッピング）し、変調シンボル（“データシンボル”）を提供する。シンボル変調器１４１５は、データシンボルとパイロットシンボルとを受け取って処理し、シンボルのストリームを提供する。シンボル変調器１４２０は、データおよびパイロットシンボルを多重化し、送信機ユニット（ＴＭＴＲ）１４２０にそれらを提供する。各送信シンボルは、データシンボル、パイロットシンボル、またはゼロの信号値とすることができる。パイロットシンボルは、各シンボル期間中に連続して送られてもよい。パイロットシンボルを、周波数分割多重化（ＦＤＭ）、直交周波数分割多重化（ＯＦＤＭ）、時分割多重化（ＴＤＭ）、コード分割多重化（ＣＤＭ）、もしくは、それらの、あるいは、同様な変調および／または送信技術の、適切な組合せとすることができる。
【００９８】
送信機１４２０は、シンボルのストリームを受け取り、１つ以上のアナログ信号に変換し、さらにアナログ信号を調整して（例えば、増幅し、フィルタリングし、および周波数アップコンバートする）、ワイヤレスチャネルを通して送信するのに適したダウンリンク信号を発生させる。ダウンリンク信号は次にアンテナ１４２５を通して端末に送信される。端末１４３０において、アンテナ１４３５はダウンリンク信号を受信し、受信機ユニット（ＲＣＶＲ）１４４０に対して、受信信号を提供する。受信機ユニット１４４０は、受信した信号を調整し（例えば、フィルタリングし、増幅し、および周波数ダウンコンバートする）、調整された信号をデジタル化してサンプルを取得する。シンボル復調器１４４５は、受信したパイロットシンボルを復調し、チャネル推定のためにプロセッサ１４５０に提供する。シンボル復調器１４４５は、プロセッサ１４５０からダウンリンクに対する周波数応答推定をさらに受け取り、受信したデータシンボルにデータ復調を実行して（送信されたデータシンボルの推定である）データシンボル推定を取得し、受信データプロセッサ１４５５に対してデータシンボル推定を提供し、受信データプロセッサ１４５５は、データシンボル推定を復調し（すなわち、シンボルデマップし）、デインターリーブし、デコードして、送信されたトラフィックデータを復元する。シンボル復調器１４４５および受信データプロセッサ１４５５による処理は、それぞれ、アクセスポイント１４０５におけるシンボル変調器１４１５および送信データプロセッサ１４１０による処理と相補関係にある。
【００９９】
アップリンク上で、送信データプロセッサ１４６０はトラフィックデータを処理して、データシンボルを提供する。シンボル変調器１４６５はデータシンボルを受け取ってパイロットシンボルと多重化し、変調を実行し、シンボルのストリームを提供する。送信機ユニット１４７０は次にシンボルのストリームを受け取って処理してアップリンク信号を発生させ、アップリンク信号は、アンテナ１４３５によりアクセスポイント１４０５に送信される。特に、アップリンク信号は、ＳＣ−ＦＤＭＡ要求にしたがうものとすることができ、ここで記述したような、周波数ホッピングメカニズムを含むことができる。
【０１００】
アクセスポイント１４０５において、端末１４３０からのアップリンク信号はアンテナ１４２５により受信され、サンプルを取得するために受信機ユニット１４７５により処理される。シンボル復調器１４８０は次にサンプルを処理し、アップリンクに対する受信パイロットシンボルおよびデータシンボル推定を提供する。受信データプロセッサ１４８５はデータシンボル推定を処理して、端末１４３０により送信されたトラフィックデータを復元する。プロセッサ１４９０は、アップリンク上で送信している各アクティブ端末に対するチャネル推定を実行する。複数の端末は、それぞれの割り当てられた組のパイロット副搬送波上で、アップリンク上で同時にパイロットを送信でき、パイロット副搬送波の組はインターレースできる。
【０１０１】
プロセッサ１４９０および１４５０は、それぞれアクセスポイント１４０５および端末１４３０における動作を指示する（例えば、制御し、調整し、管理するなど）。それぞれのプロセッサ１４９０および１４５０は、プログラムコードおよびデータを記憶する（示していない）メモリユニットと関係付けることができる。プロセッサ１４９０および１４５０は、計算を実行して、それぞれ、アップリンクおよびダウンリンクに対する周波数およびインパルス応答推定を導くこともできる。
【０１０２】
多元接続システム（例えば、ＳＣ−ＦＤＭＡ、ＦＤＭＡ、ＯＦＤＭＡ、ＣＤＭＡ、ＴＤＭＡなど）に対して、複数の端末がアップリンク上で同時に送信できる。そのようなシステムに対して、パイロット副帯域を異なる端末間で共有できる。各端末に対するパイロット副帯域が（可能性として帯域の端を除いて）全動作帯域にわたるケースにおいて、チャネル推定技術を使用できる。そのようなパイロット副帯域構造は、各端末に対して周波数ダイバーシティを取得することが望ましい。ここで記述した技術は、さまざまな手段により実現できる。例えば、これらの技術は、ハードウェア、ソフトウェア、または、これらの組合せにおいて実現できる。デジタル、アナログ、または、デジタルおよびアナログの両方とすることができる、ハードウェアの実現に対して、チャネル推定に対して使用される処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、制御装置、マイクロ制御装置、マイクロプロセッサ、ここで記述した機能を実行するように設計されている他の電子ユニット、または、これらの組合せ内で実現できる。ソフトウェアでは、ここで記述した機能を実行するモジュール（例えば、手続き、関数など）を通して実現できる。ソフトウェアコードは、メモリに記憶させることができ、プロセッサ１４９０および１４５０によって実行できる。
【０１０３】
図１５は、複数の基地局（ＢＳ）１５１０（例えば、ワイヤレスアクセスポイント）と、複数の端末１５２０（例えば、ＵＴ）とを有するワイヤレス通信システム１５００を図示し、ワイヤレス通信システム１５００は、１つ以上の観点に関連して利用できる。ＢＳ（１５１０）は一般に、端末と通信する固定局であり、アクセスポイント、ノードＢ、または他の何らかの用語で呼ぶことができる。各ＢＳ１５１０は、１５０２ａ、１５０２ｂおよび１５０２ｃとラベル表示され、図１５中の３つの地理的エリアとして図示されている、特定の地理的エリアまたはカバレッジエリアに対して通信カバレッジを提供する。用語“セル”は、用語が使用される状況次第で、ＢＳまたは、そのカバレッジエリアを指すことができる。システムの容量を向上させるために、ＢＳの地理的エリア／カバレッジエリアは、複数のより小さいエリア（例えば、図１５中のセル１５０２ａにしたがうと、３つのより小さいエリア）１５０４ａ、１５０４ｂおよび１５０４ｃに区分できる。それぞれのより小さいエリア（１５０４ａ、１５０４ｂ、１５０４ｃ）は、それぞれのベーストランシーバサブシステム（ＢＴＳ）により担当できる。用語“セクタ”は、用語が使用される状況次第で、ＢＴＳまたは、そのカバレッジエリアを指すことができる。セクタ化されたセルに対して、そのセルのすべてのセクタに対するＢＴＳは、セルに対する基地局内に通常同時に位置付けられている。ここで記述した送信技術は、セクタ化されたセルを有するシステムに対してだけでなく、セクタ化されていないセルを有するシステムに対しても使用できる。簡単にするために、特に指定されない限り、主題の記述において、用語“基地局”は、一般に、セクタをサービスする固定局に対してだけでなく、セルをサービスする基地局に対しても使用される。
【０１０４】
端末１５２０は通常、システム全体にわたって分散されており、各端末１５２０は、固定されたものか、または移動するものとすることができる。端末１５２０はまた、ここで記述したように、移動局、ユーザ機器、ユーザデバイス、または、他の何らかの用語で呼ばれることがある。端末１５２０は、ワイヤレスデバイス、セルラ電話機、パーソナルデジタルアシスタント（ＰＤＡ）、ワイヤレスモデムカードなどとすることができる。各端末１５２０は、任意の所定の瞬間において、ダウンリンク（例えば、ＦＬ）およびアップリンク（例えば、ＲＬ）上で、ゼロの、１つの、または複数のＢＳ１５１０と通信できる。ダウンリンクは、基地局から端末への通信リンクを指し、アップリンクは、端末から基地局への通信リンクを指す。
【０１０５】
集中化したアーキテクチャに対して、システム制御装置１５３０が、基地局１５１０に結合し、ＢＳ１５１０に対して調整および制御を提供する。分散されているアーキテクチャに対して、ＢＳ１５１０は、（例えば、ＢＳ１５１０を通信可能に結合しているワイヤードまたはワイヤレスのバックホールネットワークにより）必要に応じて互いに通信できる。フォワードリンク上でのデータ送信は、フォワードリンクまたは通信システムによりサポートできる最大データレートまたはその近くで、１つのアクセスポイントから１つのアクセス端末に発生することが多い。フォワードリンクの追加のチャネル（例えば、制御チャネル）は、複数のアクセスポイントから１つのアクセス端末に送信できる。リバースリンクデータ通信は、１つのアクセス端末から１つ以上のアクセスポイントに発生できる。
【０１０６】
図１６は、さまざまな観点にしたがった、計画されている、または、なかば計画されているワイヤレス通信環境１６００の説明図である。システム１６００は、１つ以上のセルおよび／またはセクタ中に１つ以上のＢＳ１６０２を備えることができ、１つ以上のＢＳ１６０２は、互いに、および／または１つ以上の移動デバイス１６０４に対して、ワイヤレス通信信号を受信したり、送信したり、中継したりなどをする。図示するように、各ＢＳ１６０２は、１６０６ａ、１６０６ｂ、１６０６ｃおよび１６０６ｄとラベル表示された４つの地理的エリアとして図示されている、特定の地理的エリアに対して通信カバレッジを提供できる。各ＢＳ１６０２は、送信機チェーンおよび受信機チェーンを備えることができ、送信機チェーンおよび受信機チェーンのそれぞれは、次に、当業者に理解されるように、信号の送信および受信に関係付けられた複数のコンポーネント（例えば、プロセッサ、変調器、マルチプレクサ、復調器、デマルチプレクサ、アンテナなど、図５を参照）を備えることができる。移動デバイス１６０４は、例えば、セルラ電話機、スマート電話機、ラップトップ、ハンドヘルド通信デバイス、ハンドヘルド計算デバイス、衛星無線機、全地球測位システム、ＰＤＡおよび／またはワイヤレスネットワーク１６００を通して通信する他の何らかの適切なデバイスとすることができる。システム１６００は、ここで示したように、異種ワイヤレス通信環境（１６００）において仮想スケジューリングを提供することを容易にするために、ここで記述したさまざまな観点に関連して用いることができる。
【０１０７】
主題の開示において使用されるとき、用語“コンポーネント”、“システム”、“モジュール”、およびこれらに類似するものは、コンピュータ関連エンティティ、ハードウェア、ソフトウェア、実行中のソフトウェア、ファームウェア、ミドルウェア、マイクロコード、および／または、これらの任意の組合せのいずれかを指すように向けられている。例えば、モジュールは、限定的ではないが、プロセッサ上で実行するプロセス、プロセッサ、オブジェクト、実行ファイル、実行のスレッド、プログラム、デバイスおよび／またはコンピュータとすることができる。１つ以上のモジュールが１つのプロセス、または実行のスレッド内に存在することができ、モジュールは、１つの電子デバイス上にローカライズでき、または２つ以上の電子デバイス間に分散できる。さらに、これらのモジュールは、記憶されているさまざまなデータ構造を有するさまざまなコンピュータ読取り可能媒体から実行できる。モジュールは、（例えば、ローカルシステム中の、分散システム中の別のコンポーネントと対話する１つのコンポーネントからのデータ、または、インターネットのようなネットワークを通して信号により他のシステムと対話する１つのコンポーネントからのデータのような）１つ以上のデータパケットを有する信号にしたがうような、ローカルまたはリモートプロセスによって通信できる。さらに、ここで記述したシステムのコンポーネントまたはモジュールは、それらに関して記述した、さまざまな観点、目標、利益などの達成を容易にするために、追加のコンポーネント／モジュール／システムによって、再編成または補完でき、当業者によって理解されるように、所定の図面において示した厳密な構成に限定されない。
【０１０８】
さらに、ＵＴに関連して、さまざまな観点をここで記述する。ＵＴは、システム、加入者ユニット、加入者局、移動局、移動、移動通信デバイス、移動デバイス、リモート局、リモート端末、アクセス端末（ＡＴ）、ユーザエージェント（ＵＡ）、ユーザデバイス、またはユーザ機器（ＵＥ）と呼ばれることもある。加入者局は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続機能を有するハンドヘルドデバイス、あるいは、ワイヤレスモデムに接続される他の処理デバイスまたは処理デバイスとのワイヤレス通信を容易にする類似のメカニズムとすることができる。
【０１０９】
１つ以上の例示的な実施形態において、記述した機能は、ハードウェア、ソフトウェア、ファームウェア、ミドルウェア、マイクロコード、またはこれらの任意の適切な組み合わせ中で実現できる。ソフトウェアにおいて実現する場合、コンピュータ読み取り可能媒体上に、１つ以上の命令またはコードとして、機能を記憶させ、または機能を送信できる。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、コンピュータによりアクセスできる任意の物理媒体であってもよい。一例として、限定ではないが、そのようなコンピュータ記憶媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、スマートカード、フラッシュメモリデバイス（例えば、カード、スティック、キードライブ．．．）、あるいは、命令またはデータ構造の形態で所望のプログラムコードを搬送または記憶するために使用でき、そして、コンピュータによりアクセスできる他の任意の媒体を備えることができる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【０１１０】
ハードウェアの構成に対して、ここで開示した観点に関連して記述した、処理ユニットのさまざまな実例となる論理、論理ブロック、モジュール、および回路は、１つ以上のＡＳＩＣ、ＤＳＰ、ＤＳＰＤ、ＰＬＤ、ＦＰＧＡ、ディスクリートゲートまたはトランジスタ論理、ディスクリートハードウェアコンポーネント、汎用プロセッサ、制御装置、マイクロコントローラ、マイクロプロセッサ、ここで記述した機能を実行するように設計された他の電子ユニット、あるいは、これらの任意の組み合わせにより、実現できる。汎用プロセッサはマイクロプロセッサとすることができるが、代わりに、プロセッサは、何らかの従来のプロセッサ、制御装置、マイクロコントローラ、または状態遷移機械とすることができる。プロセッサはまた、コンピューティングデバイスの組み合わせとして、例えば、ＤＳＰとマイクロプロセッサとの組み合わせとして、複数のマイクロプロセッサとして、ＤＳＰコアに関連した１つ以上のマイクロプロセッサとして、あるいは、他の任意の適切な構成として実現できる。さらに、少なくとも１つのプロセッサは、ここで開示したステップおよび／または動作のうちの１つ以上を実行するように動作可能な１つ以上のモジュールを備えることができる。
【０１１１】
さらに、ここで記述した、さまざまな観点または特徴は、標準的なプログラミングおよび／またはエンジニアリング技術を使用して、方法、装置または製造品として実現できる。さらに、ここで開示した観点に関して記述した方法またはアルゴリズムのステップおよび／または動作を、ハードウェア中で直接、プロセッサにより実行されるソフトウェアモジュール中で、またはその２つの組み合わせ中で具現してもよい。さらに、いくつかの観点において、方法またはアルゴリズムのステップまたは動作は、コンピュータプログラムプロダクトに組み込むことができる、機械読取り可能媒体またはコンピュータ読取り可能媒体上で、コードまたは命令のうちの少なくとも１つとして、または、それらの任意の組合せとして、または、それらの組として存在できる。ここで使用する用語“製造品”は、任意の適切なコンピュータ読取り可能デバイスまたは媒体からアクセス可能なコンピュータプログラムを包含するように向けられている。
【０１１２】
さらに、語“例示的な”は、例、具体例、または実例としての機能を果たすことを意味するようにここでは使用されている。“例示的な”としてここで記述した任意の観点または設計は、必ずしも他の観点または設計に対して好ましいまたは有利であるように解釈すべきでない。むしろ、語“例示的な”の使用は、具体的な型において概念を表すように向けられている。本出願において使用するとき、語“または”は、排他的な“または”ではなく、包括的な“または”を意味するように向けられている。すなわち、特に指定しない限り、または、文脈から明らかでない限り、“ＸはＡまたはＢを用いる”は、自然の包括的な順序のいずれも意味するように向けられている。すなわち、ＸがＡを用いるか、ＸがＢを用いるか、または、ＸがＡおよびＢの両方を用いる場合に、““ＸはＡまたはＢを用いる”が、先の例のいずれかの下で満たされる。さらに、本明細書および特許請求の範囲において使用されるとき、冠詞“１つ（ａ）”および“１つ（ａｎ）”は一般的に、特に指定しない限り、または、単数の形態向けられていることが文脈から明らかでない限り、“１つ以上の”を意味するように解釈すべきである。
【０１１３】
ここで使用するとき、用語“推論する”または“推論”は一般的に、事象および／またはデータを通して取り込まれる１組の観測から、システム、環境、またはユーザ、の状態について理論的に考えること、または推論するプロセスに関係する。例えば、推論を用いて特定の情況または動作を識別でき、または状態に対して確率分布を発生させることができる。推論は、確率的、すなわち、データおよび事象の考慮に基づいた、関心のある状態に対する確率分布の計算とすることができる。推論はまた、１組の事象および／またはデータからより高いレベルの事象を構成するために用いられる技術を指すこともある。事象が時間的にきわめて接近して相関付けられていようとなかろうと、事象およびデータが１つまたはいくつかの事象およびデータ源から生じていようとなかろうと、このような推論は、１組の観測された事象および／または記憶された事象データから、新しい、事象または動作の構造を結果として生ずる。
【０１１４】
上述したものは、請求される主題の観点の例を含む。もちろん、請求される主題を記述する目的のために、コンポーネントまたは方法のすべての考えられる組み合わせを記述することは可能ではないが、当業者は、開示した主題の多くのさらなる組合せおよび順列が可能であることを認識することができる。したがって、開示した主題は、すべてのそのような変更、修正および変形を包含するように向けられており、これらは特許請求の範囲の精神および範囲内にある。その上、用語“含む”が詳細な説明または特許請求の範囲のどちらかで使用される限り、そのような用語は、用語“具備する”が請求項中で移行語として使用されるときに解釈されるように用語“具備する”とある意味類似して包括的であることが意図されている。
以下に、本願出願の当初の特許請求の範囲に記載された発明を付記する。
［１］ワイヤレスネットワーク中のワイヤレス通信のための方法において、
１組のプロセッサを用いて、命令に基づいて、前記ワイヤレスネットワークの隣接セルに対するネットワーク割当てブロック（ＮＡＢ）を発生させることと、
前記命令をメモリ中に記憶させることとを含み、
前記命令は、前記プロセッサに、
前記隣接セルに対してダウンリンクワイヤレス通信を割り当てさせて、前記ダウンリンク通信の割当てを前記ＮＡＢ中に含めさせ、
前記ワイヤレスネットワークのカバレッジエリア中のＡＴに対して、無線（ＯＴＡ）で前記ＮＡＢの送信を開始させる方法。
［２］前記ＡＴから、または、前記隣接セルとのバックホールリンクから、前記隣接セルに関する、チャネル情報または干渉情報を取得することをさらに含み、
前記ダウンリンクの割当ては、前記チャネル情報または干渉情報に少なくとも基づいてスケジュールされる上記［１］記載の方法。
［３］前記隣接セルは、前記ＡＴからＯＴＡで前記ダウンリンクの割当てを取得し、前記ダウンリンクの割当てを分析して、前記隣接セルに対するトラフィックをスケジュールする上記［１］記載の方法。
［４］前記隣接セルは、前記隣接セルに影響を及ぼす干渉関連の情報を獲得して、前記干渉関連情報をさらに用いて、前記隣接セルのトラフィックをスケジュールする上記［３］記載の方法。
［５］前記ＡＴから、または、前記隣接セルとのバックホールリンクから、前記隣接セルのトラフィック情報を取得することをさらに含み、
前記ダウンリンクの割当ては、前記トラフィック情報に基づく上記［１］記載の方法。
［６］ダウンリンクスケジューリングに対して、ダウンリンクチャネルリソースと、変調およびコーディングのスキームと、送信電力と、アンテナ係数と、空間多重化モードまたは送信ダイバーシティモードとを、前記ＮＡＢ中で指定することをさらに含む上記［１］記載の方法。
［７］前記隣接セルのＩＤと、前記隣接セルにより担当されるＡＴのＩＤと、前記ダウンリンク通信のためのワイヤレスリソースとを、前記ＮＡＢ中で指定することをさらに含む上記［１］記載の方法。
［８］前記隣接セルのＩＤと、前記ＮＡＢを前記隣接セルに転送するリレーＡＴのＩＤとを、前記ＮＡＢ中で指定することをさらに含む上記［１］記載の方法。
［９］前記ワイヤレスネットワーク中の、複数の隣接セルまたは複数のＡＴに関係する複数アンテナ通信として、前記ダウンリンク通信を構成することと、
バックホールリンクを介して、前記複数の隣接セルのうちの少なくとも１つに対して、または、ＯＴＡで、前記複数のＡＴのうちの少なくとも１つに対して、前記ダウンリンクの割当てを転送することとをさらに含む上記［１］記載の方法。
［１０］前記ＮＡＢのＯＴＡ送信は、
前記ＡＴへのユニキャスト送信、または、前記ワイヤレスネットワーク内のＡＴへのブロードキャスト送信、のうちの少なくとも１つをさらに含み、
前記ワイヤレスネットワークは、マクロ基地局のカバレッジエリアを含む上記［１］記載の方法。
［１１］前記ＡＴまたは前記隣接セルにより提供されたデータを分析して、前記隣接セルにより担当されているトラフィックデータに対して割り当てられているワイヤレスリソースを識別することと、
前記トラフィックデータに対するワイヤレスリソースの割当てを調整して、前記隣接セルと、前記ワイヤレスネットワークの別のセルとの間で、干渉を緩和し、トラフィックのＱｏＳを向上させ、または、ワイヤレスダイバーシティを実現することと、
バックホールリンクを通して、または、前記ＡＴを介してＯＴＡで、前記調整された割当てを前記隣接セルに送信することとをさらに含む上記［１］記載の方法。
［１２］前記ＮＡＢにより指定された方法で、前記隣接セルと共に、複数アンテナ通信のストリームを送信すること、または、受信した複数アンテナ通信をデコードすることをさらに含む上記［１］記載の方法。
［１３］ワイヤレス通信環境中の調整された通信のための装置において、
ワイヤレス通信を送り、受信する、少なくとも１つのアンテナと、
調整されたワイヤレス通信スケジューリングを実現する１組のプロセッサとを具備し、
前記プロセッサは、
ワイヤレスネットワークの隣接セルに対して、ダウンリンクワイヤレス通信をスケジュールし、
前記ダウンリンク通信に対するスケジューリングデータをＮＡＢにエンコードし、
前記少なくとも１つのアンテナを用いて、前記ワイヤレスネットワークにより担当されているＡＴを介して、ＯＴＡで、前記ＮＡＢを前記隣接セルに転送するように構成されている装置。
［１４］前記隣接セルは、ＯＴＡで前記ＡＴから、前記ＮＡＢ、または、そこで指定されているデータを取得して、前記ＮＡＢまたは指定されているデータを分析して、前記隣接セルに対するトラフィックをスケジュールする上記［１３］記載の装置。
［１５］前記隣接セルは、前記隣接セルに影響を及ぼす干渉関連の情報を獲得し、前記分析は、前記干渉関連情報に基づいて、前記スケジューリングデータに従うこと、または、前記スケジューリングデータを修正することを含む上記［１４］記載の装置。
［１６］受信機が、アップリンクメッセージから、前記ワイヤレスネットワークの、少なくとも１つの隣接セルに関するデータを取得し、
前記プロセッサが、前記データに基づいて、前記ダウンリンク通信に対して、ダウンリンクチャネルリソースと、変調およびコーディングのスキームと、送信電力と、アンテナ係数と、空間多重化モードまたは送信ダイバーシティモードとを前記ＮＡＢ中で指定する上記［１３］記載の装置。
［１７］前記プロセッサは、前記ＡＴに前記ＮＡＢを送るためのユニキャスト送信、または、前記ワイヤレスネットワーク内の１組のＡＴに前記ＮＡＢを送るためのブロードキャスト送信、のうちの少なくとも１つを用いる上記［１６］記載の装置。
［１８］前記ワイヤレスネットワーク内の、複数の隣接セルのアクセスポイントまたは複数のＡＴに対する、それぞれのパラメータを計算して、分散されている、複数入力（ＭＩ）通信、複数出力（ＭＯ）通信、または、複数入力複数出力（ＭＩＭＯ）通信を実現する調整モジュールをさらに具備する上記［１３］記載の装置。
［１９］割当てモジュールをさらに具備し、
前記割当てモジュールは、
前記ダウンリンク通信が、前記ＡＴまたは前記ＡＴを担当するセルに少なくとも部分的に関係し、前記ＡＴのＩＤと、前記担当セルのＩＤとを前記ＮＡＢ中で指定すること、または、
前記スケジューリングデータが、前記ＡＴにより前記隣接セルに転送され、前記ＡＴのＩＤと、前記隣接セルのＩＤとを前記ＮＡＢ中で指定すること、のうちの少なくとも１つを実行する上記［１３］記載の装置。
［２０］重要モジュールをさらに具備し、
前記重要モジュールは、
前記ＡＴまたは前記隣接セルに関係付けられているトラフィックデータに対する優先順位を決定して、前記ＮＡＢ中で前記優先順位を指定すること、または、
第２の隣接セルに関係付けられている干渉トラフィックデータに対する優先順位を取得して、前記干渉トラフィックの優先順位と、前記ＡＴに関係するトラフィックの優先順位とに基づいて、前記ダウンリンク通信を発生させること、のうちの少なくとも１つを実行する上記［１３］記載の装置。
［２１］前記装置は、マクロセル、マイクロセル、ピコセル、アクセスが制限されているフェムトセル、または、ワイヤレスリレー、のうちの少なくとも１つを具備する上記［１３］記載の装置。
［２２］前記プロセッサは、
前記ＡＴまたは前記隣接セルにより提供されたデータを分析して、前記隣接セルにより担当されているトラフィックデータに対して割り当てられているワイヤレスリソースを識別し、
前記トラフィックの優先順位に基づいて、前記ワイヤレスリソースの割当てを調整して、前記隣接セルまたは第２の隣接セルにおいて、干渉を緩和し、ＱｏＳを向上させ、または、ワイヤレスダイバーシティを提供し、
バックホールリンクを介して、または、前記ＡＴを介してＯＴＡで、前記調整された割当てを前記隣接セルに送信する上記［１３］記載の装置。
［２３］複数の送信ストリームに対して前記ダウンリンク通信を構成して、複数アンテナ通信を実現することと、
バックホールリンクを通して、または、前記ワイヤレスネットワーク中の１つ以上のＡＴを介して前記ＮＡＢ中で、それぞれの隣接セルに対してそれぞれのストリームを送信することと、
前記複数の送信ストリームのうちの１つを送信して、前記複数アンテナ通信に参加することとをさらに含む上記［１３］記載の装置。
［２４］ワイヤレスネットワーク中のワイヤレス通信のための装置において、
前記ワイヤレスネットワークの隣接セルに対するＮＡＢを発生させるために、命令コードを処理する手段と、
前記命令コードをメモリ中に記憶させる手段とを具備し、
前記命令コードは、前記処理手段に、
前記隣接セルに対してダウンリンクワイヤレス通信を割り当てさせて、前記ダウンリンクの割当てを前記ＮＡＢ中に含めさせ、
前記ワイヤレスネットワークのカバレッジエリア中のＡＴに対して、ＯＴＡで前記ＮＡＢの送信を開始させる装置。
［２５］ワイヤレスネットワーク中のワイヤレス通信に対して構成されている少なくとも１つのプロセッサにおいて、
命令コードを処理して、前記ワイヤレスネットワークの隣接セルに対するＮＡＢを発生させる第１のモジュールと、
前記隣接セルに対してダウンリンクワイヤレス通信を割り当てて、前記ダウンリンク割当てを前記ＮＡＢ中に含める第２のモジュールと、
前記ワイヤレスネットワークのカバレッジエリア中のＡＴに対して、ＯＴＡで前記割当ての送信を開始する第３のモジュールとを具備する少なくとも１つのプロセッサ。
［２６］コンピュータプログラムプロダクトにおいて、
コンピュータ読取り可能媒体を具備し、
前記コンピュータ読取り可能媒体は、
ワイヤレスネットワークの隣接セルに対するＮＡＢをコンピュータに発生させるための第１の組のコードと、
前記コンピュータに、前記隣接セルに対してダウンリンクワイヤレス通信を割り当てさせて、前記ダウンリンク割当てを前記ＮＡＢ中に含めさせるための第２の組のコードと、
前記ワイヤレスネットワークのカバレッジエリア中のＡＴに対して、ＯＴＡで前記ＮＡＢを前記コンピュータに送信させるための第３の組のコードとを含むコンピュータプログラムプロダクト。
［２７］ワイヤレスネットワーク中のワイヤレス通信を容易にする方法において、
少なくとも１つのプロセッサを用いて、前記ワイヤレスネットワーク内の、担当基地局と、第２のワイヤレスデバイスとの、それぞれのワイヤレス信号を分析することと、
少なくとも１つのアンテナを用いて、前記第２のデバイスからＮＡＢを取得し、前記ＮＡＢは、前記ワイヤレスネットワークのセルに対して構成されているダウンリンクワイヤレス通信スケジューリングを指定することと、
前記少なくとも１つのアンテナを用いて、前記ワイヤレスネットワークの、前記担当基地局または非担当セルに対して前記ダウンリンクワイヤレス通信スケジューリングを送信して、前記ワイヤレス通信の、ＡＴに向けられるスケジューリングを容易にすることとを含む方法。
［２８］ネットワーク割当て表示（ＮＡＩ）チャネルまたはメッセージを用いて、前記担当基地局または非担当セルに対して前記ダウンリンクワイヤレス通信スケジューリングを送信することをさらに含む上記［２７］記載の方法。
［２９］前記ＮＡＢは、前記ワイヤレスネットワークのＡＴに対する移動性管理命令をさらに含む上記［２７］記載の方法。
［３０］前記ＮＡＢから、前記担当セルまたは非担当セルのＩＤを抽出して、前記ダウンリンクワイヤレス通信スケジューリングの受信者を決定することをさらに含む上記［２７］記載の方法。
［３１］前記分析された信号から、前記担当基地局に関するワイヤレスチャネル情報を識別することと、
前記ワイヤレスチャネル情報を前記第２のワイヤレスデバイスに転送して、前記チャネル情報に基づいて、前記ダウンリンクワイヤレス通信スケジューリングの発生を容易にすることとをさらに含む上記［２７］記載の方法。
［３２］前記ＮＡＢは、前記担当セルに対する、ダウンリンクチャネルリソース、変調およびコーディングのスキーム、送信電力、空間モード、空間多重化モードまたは送信ダイバーシティモードを含む上記［２７］記載の方法。
［３３］前記ＮＡＢは、前記担当基地局または非担当セルに対するアップリンクスケジューリングと、前記アップリンクスケジューリングに対する、前記ワイヤレスネットワークの、１つ以上のノードのＩＤとをさらに含む上記［２７］記載の方法。
［３４］複数アンテナ通信に対して構成されている前記ワイヤレスネットワークのそれぞれの基地局に対して前記ダウンリンクワイヤレス通信スケジューリングを送信して、前記ワイヤレスネットワークのＡＴに対してＭＩまたはＭＩＭＯ通信を実現すること、または、
前記ＩＤから識別された、それぞれのノードに対して前記アップスケジューリングを送信して、前記ワイヤレスネットワークのＡＴに対して、分散されたＭＯまたはＭＩＭＯ通信を実現すること、のうちの少なくとも１つをさらに含む上記［３３］記載の方法。
［３５］前記ワイヤレスネットワークにおいて干渉の緩和を容易にするために、前記信号分析から生じる干渉レベルを前記第２のワイヤレスデバイスに報告することをさらに含む上記［２７］記載の方法。
［３６］前記ＮＡＢをデコードすることと、前記担当基地局内のトラフィックまたは前記非担当セル内の干渉トラフィックに対する優先順位を取得することとをさらに含む上記［２７］記載の方法。
［３７］ワイヤレスネットワーク中のワイヤレス通信を容易にする装置において、
ワイヤレス信号を送り、受信する１組のアンテナと、
前記ワイヤレスネットワーク内の、担当基地局と、第２のワイヤレスデバイスとの、それぞれのワイヤレス信号を分析するプロセッサと、
前記第２のワイヤレスデバイスからＮＡＢを取得する受信機であって、前記ＮＡＢは、前記担当基地局に対して構成されているダウンリンクワイヤレス通信スケジューリングを指定する、受信機と、
前記ワイヤレスネットワークの、前記担当基地局または非担当セルに対して前記ダウンリンクワイヤレス通信スケジューリングを送信する報告モジュールとを具備する装置。
［３８］前記報告モジュールは、ＮＡＩチャネルまたはメッセージを用いて、前記ダウンリンクワイヤレス通信スケジューリングを送信する上記［３７］記載の装置。
［３９］前記ＮＡＢは、前記装置に対する移動性管理命令をさらに含む上記［３７］記載の装置。
［４０］前記装置に対する、ネットワーク管理される移動性を容易にするために、前記第２のワイヤレスデバイスに送信されるセル報告メッセージ中にパイロット報告またはアクティブな１組のＡＰを含める移動性モジュールをさらに具備する上記［３７］記載の装置。
［４１］前記プロセッサは、前記分析された信号のうちの少なくとも１つからワイヤレスチャネル情報を抽出し、
前記報告モジュールは、前記ワイヤレスチャネル情報を前記第２のワイヤレスデバイスに転送して、前記ワイヤレスチャネル情報に基づいて、前記担当基地局または非担当セルに対する集中化したネットワークスケジューリングを容易にする上記［３７］記載の装置。
［４２］前記プロセッサは、前記ＮＡＢから前記ダウンリンクワイヤレス通信スケジューリングを抽出し、
前記報告モジュールは、ダウンリンクワイヤレス通信情報を前記非担当セルに送信して、前記ワイヤレスネットワークに対するＯＴＡリレースケジューリングを容易にする上記［３７］記載の装置。
［４３］前記ＮＡＢは、前記装置に関係付けられているトラフィックに対するアップリンクスケジューリングをさらに含む上記［３７］記載の装置。
［４４］前記ダウンリンクワイヤレス通信スケジューリングを用いて、前記装置とワイヤレストランシーバとの間で複数アンテナ通信を実現する共用通信モジュールをさらに具備し、
前記報告モジュールは、前記ダウンリンクワイヤレス通信スケジューリングを前記ワイヤレストランシーバに転送する上記［３７］記載の装置。
［４５］前記ワイヤレストランシーバは、前記担当セル内のＡＴ、ワイヤレスリレー、あるいは、前記担当基地局または非担当セルのＡＰである上記［４４］記載の装置。
［４６］前記ＮＡＢをデコードして、前記担当基地局または非担当セル内の干渉トラフィックに対する優先順位を取得する調停モジュールをさらに具備する上記［３７］記載の装置。
［４７］前記装置は、前記担当基地局または非担当セルにおいて管理される優先順位スケジューリングのために、前記干渉トラフィックに対する優先順位を、前記担当基地局または非担当セルに転送する上記［４６］記載の装置。
［４８］ワイヤレスネットワーク中のワイヤレス通信を容易にする装置において、
少なくとも１つのプロセッサを用いて、前記ワイヤレスネットワーク内の、担当基地局と、第２のワイヤレスデバイスとの、それぞれのワイヤレス信号を分析する手段と、
少なくとも１つのアンテナを用いて、前記第２のワイヤレスデバイスからＮＡＢを取得する手段であって、前記ＮＡＢは、前記担当セルに対して構成されているダウンリンクワイヤレス通信スケジューリングを指定する、手段と、
前記少なくとも１つのアンテナを用いて、前記ワイヤレスネットワークの、前記担当基地局または非担当セルに対して前記ダウンリンクワイヤレス通信スケジューリングを送信して、前記ワイヤレス通信の、ＡＴにより向けられるスケジューリングを容易にする手段とを具備する装置。
［４９］ワイヤレスネットワーク中のワイヤレス通信を容易にする、少なくとも１つのプロセッサにおいて、
前記ワイヤレスネットワーク中の、担当基地局と、第２のワイヤレスデバイスとの、それぞれのワイヤレス信号を分析する第１のモジュールと、
前記第２のワイヤレスデバイスからＮＡＢを取得するモジュールであって、前記ＮＡＢは、前記ワイヤレスネットワークのセルに対して構成されるダウンリンク通信スケジューリングを指定する、第２のモジュールと、
前記ワイヤレスネットワークの、前記担当基地局または非担当セルに対して前記ダウンリンクワイヤレス通信スケジューリングを送信して、前記ワイヤレス通信の、ＡＴにより向けられるスケジューリングを容易にする第３のモジュールとを具備する少なくとも１つのプロセッサ。
［５０］コンピュータプログラムプロダクトにおいて、
コンピュータ読取り可能媒体を具備し、
前記コンピュータ読取り可能媒体は、
ワイヤレスネットワーク中の、担当基地局と、第２のワイヤレスデバイスとの、それぞれのワイヤレス信号をコンピュータに分析させるための第１の組のコードと、
前記第２のワイヤレスデバイスからＮＡＢを前記コンピュータに取得させるためのコードであって、前記ＮＡＢは、前記ワイヤレスネットワークのセル対して構成されているダウンリンクワイヤレス通信スケジューリングを指定する、第２の組のコードと、
前記ワイヤレスネットワークの、前記担当基地局または非担当セルに対して前記ダウンリンクワイヤレス通信スケジューリングを前記コンピュータに送信させて、前記ワイヤレス通信の、ＡＴにより向けられるスケジューリングを容易にするための第３の組のコードとを含むコンピュータプログラムプロダクト。
【図１】
0005579623.tif 000002
【図２】
0005579623.tif 000003
【図３】
0005579623.tif 000004
【図４】
0005579623.tif 000005
【図５】
0005579623.tif 000006
【図６】
0005579623.tif 000007
【図７】
0005579623.tif 000008
【図８】
0005579623.tif 000009
【図９】
0005579623.tif 000010
【図１０】
0005579623.tif 000011
【図１１】
0005579623.tif 000012
【図１２】
0005579623.tif 000013
【図１３】
0005579623.tif 000014
【図１４】
0005579623.tif 000015
【図１５】
0005579623.tif 000016
【図１６】
0005579623.tif 000017